(57)【要約】      （修正有）【課題】モジュール式靴を提供する。【解決手段】ソックス状外側靴１７５０は、フレーム１７１０の周りに脱着可能に配置されるようになっている。このソックス状外側靴１７５０は、複数のプロフィル要素１７６５を備えることができ、これらのプロフィル要素１７６５のうちの少なくとも１つは、ソックス状外側靴１７５０の外部側から伸びている。これらのプロフィル要素１７６５のうちの上記の少なくとも１つの領域は、モジュール式靴１７００のフレーム１７１０の下側と脱着可能に緊密に係合するように構成する。【選択図】図１７
2020000882.tif 000002
【特許請求の範囲】
【請求項１】
フレーム（１１０、９１０、１２１０、１７１０、１８１０、１９１０、２０１０）の
周りに脱着可能に配置されてモジュール式靴（１００、９００、１２００、１７００、１
８００、１９００、２０００）、特に運動靴を形成する、ソックス状外側靴であって、
複数のプロフィル要素（１６５、９６５、１２６５、１７６５、１８６５、１９６５、
２０６５）を備え、
前記プロフィル要素（１６５、９６５、１２６５、１７６５、１８６５、１９６５、２
０６５）のうちの少なくとも１つが、前記ソックス状外側靴（１５０、９５０、１２５０
、１７５０、１８５０、１９５０、２０５０）の外側から延び、
前記プロフィル要素（１６５、９６５、１２６５、１７６５、１８６５、１９６５、２
０６５）のうちの前記少なくとも１つの領域が、前記モジュール式靴の前記フレームの下
側と脱着可能に係合するように構成される、ソックス状外側靴。
【請求項２】
前記複数のプロフィル要素（１６５、９６５、１２６５、１７６５、１８６５、１９６
５、２０６５）が、複数のスタッドを備える、請求項１に記載の外側靴。
【請求項３】
前記複数のプロフィル要素（１６５、９６５、１２６５、１７６５、１８６５、１９６
５、２０６５）のうちの少なくとも１つが、前記フレームの前記下側の突起と係合する凹
部を備える、請求項１または２に記載の外側靴。
【請求項４】
可撓性材料、特に布、織物、編物、ポリウレタン、革、ポリアミド１２、ポリエーテル
ブロックアミド（ＰＥＢＡ）、および／または熱可塑性ポリウレタン（ＴＰＵ）を含む、
請求項１から３のいずれか一項に記載の外側靴。
【請求項５】
弾性材料を含む、請求項１から４のいずれか一項に記載の外側靴。
【請求項６】
前記複数のプロフィル要素（１６５、９６５、１２６５、１７６５、１８６５、１９６
５、２０６５）が、射出成形によって前記外側靴上に射出される、請求項１から５のいず
れか一項に記載の外側靴。
【請求項７】
ボールと接触する摩擦を高めるように適応された少なくとも１つのゾーンを備える、請
求項１から６のいずれか一項に記載の外側靴。
【請求項８】
つま先領域を備える、請求項１から７のいずれか一項に記載の外側靴。
【請求項９】
接地部分（９６０）および上側部分（９７０）を備える、請求項１から８のいずれか一
項に記載の外側靴。
【請求項１０】
前記接地部分（９６０）が、前記上側部分（９７０）には設けられない材料を含む、請
求項９に記載の外側靴。
【請求項１１】
前記上側部分（９７０）が、前記接地部分（９６０）の材料より弾性的な材料を含む、
請求項９または１０に記載の外側靴。
【請求項１２】
前記接地部分（９６０）および前記上側部分（９７０）が、永続的に互いに接続される
、請求項９から１１のいずれか一項に記載の外側靴。
【請求項１３】
前記外側靴の内部側に配置された滑り止め要素をさらに備える、請求項１から１２のい
ずれか一項に記載の外側靴。
【請求項１４】
前記プロフィル要素（１６５、９６５、１２６５、１７６５、１８６５、１９６５、２
０６５）のうちの前記少なくとも１つの前記領域が、前記モジュール式靴の前記フレーム
の前記下側と、脱着可能に緊密に係合するように構成される、請求項１から１３のいずれ
か一項に記載の外側靴。
【請求項１５】
フレームであり、前記フレームの周りにソックス状外側靴（１５０、９５０、１２５０
、１７５０、１８５０、１９５０、２０５０）が脱着可能に配置されてモジュール式靴（
１００、９００、１２００、１７００、１８００、１９００、２０００）、特に運動靴を
形成する、フレームであって、
ａ．上部部分（１３０、３３０、１２３０、１７３０、１８３０、１９３０、２０３０
）と、
ｂ．ソール部分（１２０、３２０、１２２０、１７２０、１８２０、１９２０、２０２
０）とを備え、
ｃ．前記フレームが、足を取り囲むように構成され、
ｄ．前記ソール部分が、前記ソックス状外側靴の少なくとも１つのプロフィル要素（１
６５、９６５、１２６５、１７６５、１８６５、１９６５、２０６５）の領域で前記ソッ
クス状外側靴と脱着可能に係合するように構成された下側を備える、フレーム。
【請求項１６】
前記ソール部分（１２０、３２０、１２２０、１７２０、１８２０、１９２０、２０２
０）が、前記少なくとも１つのプロフィル要素（１６５、９６５、１２６５、１７６５、
１８６５、１９６５、２０６５）の前記領域で前記少なくとも１つのプロフィル要素（１
６５、９６５、１２６５、１７６５、１８６５、１９６５、２０６５）と係合するように
構成された少なくとも１つの突起（１２５、３２５、１２２５、１７２５、１８２５、１
９２５、２０２５）を備える、請求項１５に記載のフレーム。
【請求項１７】
少なくとも１つの滑り止め要素を備える、請求項１５または１６のいずれか一項に記載
のフレーム。
【請求項１８】
前記少なくとも１つの滑り止め要素が、前記フレームの前足領域に設けられる、請求項
１７に記載のフレーム。
【請求項１９】
前記少なくとも１つの滑り止め要素が、前記フレームの踵領域に設けられる、請求項１
７または１８のいずれか一項に記載のフレーム。
【請求項２０】
前記少なくとも１つの滑り止め要素が、ゴム材料を含む、請求項１７から１９のいずれ
か一項に記載のフレーム。
【請求項２１】
前記少なくとも１つの滑り止め要素が、布、特にゴム引き布を含む、請求項１７から２
０のいずれか一項に記載のフレーム。
【請求項２２】
前記足の甲領域および／またはつま先領域が前記フレームによって覆われないように適
応された、請求項１５から２１のいずれか一項に記載のフレーム。
【請求項２３】
前記ソール部分（２０２０）の上側と前記上部部分（２０３０）の下側とが、少なくと
も１つの領域で脱着可能に互いに係合するように構成される、請求項１５から２２のいず
れか一項に記載のフレーム。
【請求項２４】
前記ソール部分の前記下側が、前記ソックス状外側靴の前記少なくとも１つのプロフィ
ル要素（１６５、９６５、１２６５、１７６５、１８６５、１９６５、２０６５）の前記
領域で前記ソックス状外側靴と脱着可能に緊密に係合するように構成される、請求項１５
から２３のいずれか一項に記載のフレーム。
【請求項２５】
請求項１から１４のいずれか一項に記載のソックス状外側靴（１５０、９５０、１２５
０、１７５０、１８５０、１９５０、２０５０）と、請求項１５から２４のいずれか一項
に記載のフレーム（１１０、９１０、１２１０、１７１０、１８１０、１９１０、２０１
０）とを備える、モジュール式靴、特に運動靴であって、
ａ．前記外側靴が、前記フレームの周りに脱着可能に配置され、
ｂ．前記フレームの下側が、少なくとも１つのプロフィル要素（１６５、９６５、１２
６５、１７６５、１８６５、１９６５、２０６５）の領域で前記ソックス状外側靴と係合
する、モジュール式靴。
【請求項２６】
前記フレームの前記下側が、少なくとも１つのプロフィル要素（１６５、９６５、１２
６５、１７６５、１８６５、１９６５、２０６５）の領域で前記ソックス状外側靴と緊密
に係合する、請求項２５に記載のモジュール式靴。
【請求項２７】
フレーム（２２１０、２３１０）の周りに脱着可能に配置されてモジュール式靴（２２
００、２３００）、特に運動靴を形成する、ソックス状外側靴であって、
ａ．複数の開口（２２５５、２３５５）を備え、
ｂ．前記複数の開口（２２５５、２３５５）が、前記フレームの複数のプロフィル要素
（２２６５、２３６５ｂ）が前記開口を通って延びることができるように適応されて、前
記開口と前記プロフィル要素との間が封止されるようになっている、ソックス状外側靴。
【請求項２８】
前記開口（２２５５、２３５５）のうちの少なくとも１つが３次元形状を有し、前記外
側靴が前記少なくとも１つの開口の領域で前記フレーム（２２１０、２３１０）の前記少
なくとも１つのプロフィル要素（２２６５、２３６５ｂ）の周りに配置されたときに、前
記プロフィル要素に横方向から当接する封止領域が形成される、請求項２７に記載の外側
靴。
【請求項２９】
前記少なくとも１つの開口（２２５５、２３５５）が、下に向かって先細になるように
構成される、請求項２８に記載の外側靴。
【請求項３０】
フレームであり、前記フレームの周りにソックス状外側靴（２２５０、２３５０）が脱
着可能に配置されてモジュール式靴（２２００、２３００）、特に運動靴を形成する、フ
レームであって、
ａ．上部部分（２２３０、２３３０）と、ソール部分（２２２０、２３２０）とを備え
、
ｂ．前記ソール部分が、複数のプロフィル要素（２２６５、２３６５ｂ）を備える下側
を備え、
ｃ．前記複数のプロフィル要素が、前記外側靴の複数の開口（２２５５、２３５５）を
通って延びることができるように適応されて、前記開口と前記プロフィル要素との間が封
止されるようになっている、フレーム。
【請求項３１】
請求項２７から２９のいずれか一項に記載のソックス状外側靴（２２５０、２３５０）
と、請求項３０に記載のフレーム（２２１０、２３１０）とを備える、モジュール式靴、
特に運動靴であって、
ａ．前記ソックス状外側靴が、前記フレームの周りに脱着可能に配置され、
ｂ．前記複数のプロフィル要素（２２６５、２３６５ｂ）が、前記複数の開口（２２５
５、２３５５）を通って延びて、前記開口と前記プロフィル要素との間が封止されるよう
になっている、モジュール式靴。
【発明の詳細な説明】
【技術分野】
【０００１】
本発明は、モジュール式靴、特に運動靴に関する。
【背景技術】
【０００２】
靴、特に例えばサッカーシューズなどの運動靴は、一般に、アッパーとソールとを有す
る。
【０００３】
アッパーは、主に、足を靴内でソールの上に固定する働きをする。さらに、アッパーは
、埃、水、熱、冷気などから足を保護するように構成されうる。
【０００４】
靴のソールは、主に、例えば凹凸のある面上に踏み込んだときに怪我をしたりしないよ
うに足を保護する働きをする。ソールは、さらに、歩行時に履いている人の筋骨格系に加
わる地面の反力を緩和し、それにより怪我を防止する一助となることができる。
【０００５】
特に、例えばサッカーシューズ、ホッケーシューズ、ラグビーシューズ、フットボール
シューズなど、さらにはハイキングシューズなど、柔らかい面、急勾配の面、または湿っ
た面の上で使用される靴のソールには、通常は、ソールのさらなる安定性を保証するプロ
フィル要素が設けられる。例えば、スタッド、ナブ、あるいはその他の凹状または凸状の
プロフィルを、プロフィル要素としてソールに設けることができる。
【０００６】
プロフィル要素を有する靴は、特に、多くの様々な外的条件が生じ得る屋外で、例えば
サッカーをするために使用することができる。地形的条件、気候、または天候に応じて、
アッパーには様々なレベルの安定性および様々な性質（例えば、絶縁性、防水性、通気性
、粘着性など）が望まれる可能性があり、これにより、様々なプロフィル要素の幾何学的
形状、または様々な靴の材料の性質が必要となる。
【０００７】
従来技術から、例えば交換可能なスタッドを靴に備え付けるための多数の手法が既知で
ある。従来技術で既知の複数の構成の代表として、ここでは、既知のサッカーシューズ用
のねじ込み式スタッドについて述べる。これらのスタッドは、ねじ形の基部を有し、この
基部が、ソールのねじ部に脱着可能にねじ込まれる。
【０００８】
交換式スタッドに加えて、独国特許出願公開第１０２００４０１１１６８０号明細書で
は、スタッドを備えたモジュール式靴を開示している。この目的のために、アッパー内に
シャシが配置される。アッパーの下側を通してシャシに取り付けられる複数のスタッドと
ともに、スタッドを備えた安定した靴が得られる。ただし、複数のスタッドの装着および
取外しは時間がかかる。さらに、個々のスタッドを紛失しやすい。
【０００９】
脱着可能スタッドに加えて、様々な分野の従来技術で、靴の性質に影響を及ぼす可能性
がある靴用のカバーまたはゲートルが既知である。例えば、米国特許出願公開第２０１１
／０３１４７０１号明細書は、空気力学的性質を改善する自転車用靴の靴カバーを開示し
ている。米国特許第８７８９２９７号明細書は、地面上での靴の摩擦を改変する、ボウリ
ングで使用される靴用の使い捨て靴カバーを示している。さらに別の靴カバーは、例えば
米国特許出願公開第２０１０／０３０１６３２号明細書、米国特許第５０８６５７６号明
細書、および米国特許出願公開第２０１４／０２０２０４５号明細書から既知である。た
だし、これらのカバーは、通常は、靴と緩く接続されるだけであるので、カバーが滑りや
すく、靴を履いている人が転びやすい。特に屋外での使用において、十分な頑丈性（Stab
ilitat）がこれらのカバーに与えられ得ない。さらに、これらのカバーは、靴のプロフィ
ル要素に対応していない。
【００１０】
欧州特許第２３３８３７０号明細書は、特にテニスに使用される、ミッドソール部材が
固定されているアッパー部材を備えた履物を開示している。この履物は、さらに、取外し
可能なアウトソール部材を有する。アウトソール部材は、アウトソール取り付け要素を、
その外部の大部分の表面に含む。アウトソール部材の内部の大部分の表面、および取り付
け要素の外側領域で、アウトソール部材は、アウトソール部材をミッドソール部材と係合
させるのを助ける３つの隆起リブ領域を含む。
【００１１】
米国特許出願公開第２０１４／０２０８６１７号明細書から、フック及びループファス
ナを援用して靴の足首領域の周りに固定可能な、足首テープの代わりに足首領域をサポー
トする、スパッツが既知である。ただし、スパッツまたはゲートルは、足を完全に包囲し
ておらず、開いた端部を有するので、ずれやすいという問題が常にある。
【００１２】
それ以外は、従来技術では、プロフィル要素は、十分な頑丈性を得るために、通常は永
続的にソールおよびアッパーに接続される。例えば、クリートを備えたソールが接着剤ま
たは縫製によって靴に接続される、米国特許第７７３０６３６号明細書および米国特許第
８１９６３２０号明細書を参照されたい。
【００１３】
米国特許第３５５９３１０号明細書は、ゴルフシューズのオーバシューズを開示してい
る。さらに、国際公開第２００５／０９２１３６号パンフレットは、穿孔されたカバーお
よび取外し可能な構成要素を備える履物品を開示している。
【００１４】
したがって、プロフィル要素のタイプ、靴の形状、または靴の通気性など、靴の重要な
性質は、現在では、不十分にしか適応させることができない。条件が変化すると、全く異
なる靴になってしまう、あるいは上記で説明したように、全てのスタッドを取り外して、
再度ねじ込む必要がある。
【発明の概要】
【発明が解決しようとする課題】
【００１５】
したがって、本発明の目的は、従来技術から既知の構成と比較して改善された方法で靴
を履くそれぞれの人の様々な要件に適応可能な、プロフィル要素を備える靴を提供するこ
とである。
【課題を解決するための手段】
【００１６】
この目的は、少なくとも部分的には、請求項１に記載のモジュール式靴用のソックス状
外側靴、請求項１５に記載のモジュール式靴のフレーム、および請求項２５に記載のモジ
ュール式靴によって達成される。
【００１７】
１実施形態によれば、フレームの周りに脱着可能に配置されてモジュール式靴、特に運
動靴を形成する、ソックス状外側靴が提供される。このソックス状外側靴は、複数のプロ
フィル要素を備え、これらのプロフィル要素のうちの少なくとも１つは、ソックス状外側
靴の外側から延びる（例えば、遠ざかるように延びる）。これらのプロフィル要素のうち
の少なくとも１つの領域は、モジュール式靴のフレームの下側と脱着可能に緊密に係合す
るように構成される。
【００１８】
この実施形態は、外側靴およびそのプロフィル要素によって決定されるモジュール式靴
の外側の性質を、単に外側靴を交換することによって容易に改変することを可能にする。
全てのプロフィル要素を個別に交換する代わりに、プロフィル要素は外側靴上に配置され
ており、モジュール式靴の外側靴を１回の簡単なステップで交換することができるように
なっている。
【００１９】
例えば、突然雨が降り始めたときには、モジュール式サッカーシューズに、濡れた表面
に特に良く適しているスタッドを備えた防水外側靴を容易にも受けることができる。靴全
体を交換すると、その靴に新たに足を慣らさなければならず、肉刺または圧力痕を生じる
ことも多いが、その代わりに、外側靴だけを交換すればよい。その周りに外側靴が配置さ
れるモジュール式靴のフレームは、そのまま使用し続けることができる。プロフィル要素
が外側靴上に設けられていることにより、外側靴とフレームとの間の追加的な封止は不要
である。したがって、防水モジュール式靴が得られる。
【００２０】
少なくとも１つのプロフィル要素の領域とフレームの下側とが緊密に係合することで、
さらに、例えばサッカーシューズで満たされる高い要件も満たす、フレームと外側靴との
間の接続の十分な頑丈性が得られる。足と地面の間で力が伝達されるプロフィル要素の領
域で外側靴とフレームが直接緊密に係合するので、この領域では、発生する力をフレーム
と外側靴との間で直接伝達することができ、剪断力は、非常に低い程度しか発生し得ない
。したがって、特に高い頑丈性を得ることができる。緊密係合の領域は、例えば、プロフ
ィル要素の上端部に配置することができる。この領域は、プロフィル要素の上端部の中心
に配置することができる。例えば、プロフィル要素の凹部または突起をこの領域に設ける
ことができ、これに、フレームの下側の対応する突起または凹部が緊密に嵌合することが
できる。フレームの下側で外側靴が緊密に係合することと、フレームの周りに外側靴が配
置されることとによって、外側靴およびそのプロフィル要素をフレームの周りに容易に位
置決めし、安全に固定することができる。例えばプロフィル要素のうちの少なくとも１つ
および／またはフレームの下側の領域に適当な材料を用いることによって、外側靴とフレ
ームの間の静止摩擦を高めることもできる。したがって、相対的に動くことをさらに抑制
することができる。
【００２１】
フレームと外側靴とを構造上分離することにより、両要素を、例えば靴を足に固定する
、あるいは外側の性質（例えば絶縁性／通気性、粘着性、またはボールと接触したときの
緩衝性など）を与えるなど、それぞれの性質について最適化することができる。また、フ
レームと外側靴とを細かく縫い合わせたり接合（例えば糊付け）したりしなくてもよいの
で、靴の製造が簡略化される。その結果として、シーム、接着剤、またはその他の接続要
素を節約することができ、それにより、より容易に、かつより高い環境持続性で、靴を提
供することができる。
【００２２】
さらに、ソックス上外側靴の外部側から延びる複数のプロフィル要素を設けることがで
き、各プロフィル要素の領域は、モジュール式靴のフレームの下側と脱着可能に緊密に係
合するように構成される。
【００２３】
外側靴は、複数のプロフィル要素が複数のスタッドを備えるように構成することができ
る。これらのスタッドは、その形状およびサイズを、特定の表面および／または天候の条
件に適応させることができる。したがって、単純に外側靴を交換することで、それぞれの
表面に対して最適な安定性を得ることができる。１つまたは複数のプロフィル要素は、ス
タッドとして構成することができる。スタッドに加えて、またはスタッドの代替として、
ナブまたは溝など、その他のプロフィル要素を設けることもできる。
【００２４】
外側靴の複数のプロフィル要素は、それらのプロフィル要素のうちの少なくとも１つが
フレームの下側の突起と緊密に係合する凹部を備えるように構成することができる。この
ようにして、フレームの下の地面付近で緊密な係合が得られ、このことが、接触領域で生
じる剪断力を最小限に抑える一助となっている。プロフィル要素は、地面に刺さり、地面
との接触領域として提供される外側靴の外部側より下に延びるように、構成することがで
きる。したがって、緊密な係合は、地面との接触領域より下、および／または実質的にそ
の領域と同じ高さで得られ、剪断力および足首を捻る危険性が特に最小限に抑えられるよ
うになっている。さらに、外側靴の下側でプロフィル要素によって形成される突起を使用
して、外側靴の上側に凹部を形成することができるので、緊密な係合をコンパクトに得る
ことができる。突起は、プロフィル要素の支持要素として構成することもできる。
【００２５】
緊密な係合は、例えばフレームの下側の突起の全ての外面が例えばプロフィル要素の凹
部の対応する面と（またはプロフィル要素の領域の突起の外面がフレームの下側の凹部の
対応する面と）接触することを必要とするわけではないことを強調しておく。そうではな
く、得られるモジュール式靴を履くときに、緊密な係合によって、外側靴とフレームとが
フレームの下側の面内で横方向に動くこと、すなわち相対的に動くことが実質的に排除さ
れれば十分である。これは、例えば突起と凹部との対応する係合によって保証することが
できる。凹部と対応する突起とは、垂直方向に配列することができる。例えば、これらは
、円筒形の構成にすることができ、かつ／または漏斗形に下に向かって先細にして、漏斗
形の係合を生じることができる。それぞれの円筒および／または漏斗の側面の少なくとも
部分的に、または例えば全面的に接触することにより、フレームと外側靴とが横方向に動
くことを排除することができる。漏斗形の突起および／または漏斗形の先細部が接触する
ことで、フレームが外側靴に対して相対的に下向きに動くことを制限することができる。
この目的のために、それぞれの漏斗および／または円筒の前面の接触は、必ずしも必要で
はない。ただし、このような接触は、いくつかの例では、完全に、または少なくとも部分
的に実現することができる。凹部および突起のその他の形状も考えられ、例えば三角形の
ものなど、非回転対称のものも考えられる。いくつかの例では、突起および対応する凹部
は、傾斜して配置することもできる。したがって、緊密な係合は、フレームが外側靴に対
して相対的に上方に動くことを防止する一助となることができる。
【００２６】
外側靴は、可撓性材料、特に布、織物、ポリウレタン（ＰＵ）コーティング付きの伸縮
性布、編物、ポリウレタン、例えばカンガルー革などの革、ポリアミド１２、ポリエーテ
ルブロックアミド（ＰＥＢＡ）、および／または熱可塑性ポリウレタン（ＴＰＵ）を含み
得る。可撓性材料を使用することで、外側靴がフレームに、また足の形状に適応すること
が保証される。このようにして、モジュール式靴の良好な適合を保証することができる。
例えば、可撓性材料は、外側靴がソックスのように脚の周りにぴったりと適合する一助と
なることができる。外側靴は、足全体を覆うことができる。
【００２７】
上述の材料は、特に、外側靴を機能化すること、ならびに／あるいはコーティング、フ
ロック加工、積層、スプレー、接合、および／またはスクリーン印刷もしくはその他の印
刷方法を用いた印刷を、機能層の所定のゾーンに施すことによって様々な視覚的（ｏｐｔ
ｉｃａｌ）外観を外側靴に与えることに適している。例えば、ゾーンは、高められた伸縮
性、弾性、可撓性、耐摩耗性、および／または特定の粘着性を備えることができる。した
がって、個々のゾーンで異なる機材を使用することに加えて、またはその別法として、ベ
ース材料にさらに別の層を設けることによって、様々な機能性または視覚的（ｏｐｔｉｃ
ａｌ）設計を備えたゾーンを実現することができる。このような機能的または視覚的（vi
sually）に構成されたゾーンは、例えば、靴を履いているそれぞれの人に合わせて個別に
調節することができ、例えば、必要なら、店舗で直接作成することができる。特に、例え
ば背番号、選手名、国旗、または国名など、特定の視覚的（ｏｐｔｉｃａｌ）設計要素を
、コーティング、フロック加工、積層、スプレー、接合、および／または印刷によって外
側靴に適用することができる。このような設計要素は、工場で外側靴上に直接生成するこ
ともできるし、あるいは店舗で、または家庭でエンドユーザが直接生成することもできる
。例えば、ソックス状外側靴が単一色で出荷され、店舗で、またはエンドユーザによって
、設計要素をソックス状外側靴に付けることも可能である。出荷時の単一色の外側靴には
、会社ロゴまたはブランド名のみを付しておくこともできる。このようにして、ソックス
状外側靴は、実際に任意の所望の視覚的設計を有することができるように構成される。こ
れにより、新たな流通経路が可能になる。
【００２８】
列挙した材料のうちの複数の調達は、特に費用対効果がよいので、外側靴の製造コスト
を低く抑えることができる。
【００２９】
既知のサッカーシューズでは以前はアッパー材料として使用されていた材料を、外側靴
に使用することもでき、この外側靴の材料は、高い伸縮性および／または可撓性が得られ
るように、より薄く構成することができる。より高い伸縮性および／または可撓性により
、例えば、フレームの上の外側靴を迅速かつ容易に引っ張ることが可能になる。
【００３０】
外側靴は、弾性材料を含むことができる。弾性材料は、可逆的に変形することができる
こと、および材料を伸ばしたときに復元力が発生し、これが材料を収縮させるように作用
することを特徴とする。弾性材料を使用することにより、外側靴の適合を改善することが
できるだけでなく、外側靴とフレームの間の脱着可能な接続の頑丈性も改善することがで
きる。フレームの周りに配置される外側靴の弾性は、外側靴とフレームとが相対的に動く
ことを妨げる働きをする。特に、外側靴がプレストレス状態でフレームの周りに配置され
るように構成されると、３つの空間的方向の全てに、外側靴をフレームの周りで固定する
ことができる。
【００３１】
複数のプロフィル要素は、射出成形によって外側靴に導入され得る。一方では、これに
より、外側靴を特に容易に、かつ高い費用対効果で、産業的に製造することが可能になる
。他方では、外側靴の外面とプロフィル要素との間で特に緊密な接続が保証され、例えば
、水がこれらの間の面から外側靴の中に浸透することが防止される。
【００３２】
外側靴は、ボールと接触する摩擦を高めるように適応された少なくとも１つのゾーンを
備えるように構成することができる。特に、足の甲および／またはつま先の領域のあるゾ
ーンでは、大きな摩擦によって、ボールコントロール性を有意に改善することができる。
この目的のために、外側靴は、全体として、大きな摩擦をもたらす特定の材料を含むこと
ができる。別法として、またはこれに加えて、外側靴は、少なくとも１つのゾーンに、コ
ーティング、接合箔、および／または摩擦を高めるために任意のその他の方法で適用され
る摩擦要素を備えることができる。外側靴は、少なくとも１つのゾーンに大きな摩擦を与
える材料が存在するように、異なる材料の複数のセクションで構成することもできる。
【００３３】
外側靴は、つま先領域を備えることができる。したがって、つま先領域におけるモジュ
ール式靴の外側の性質は、特に外側靴を交換することによって変更することができる。例
えば、特に湿った条件下でも良好なボールコントロールを可能にする、湿った条件下でボ
ールとの大きな摩擦をもたらす外側靴を、サッカーシューズ用に適用することができる。
外側靴は、甲領域および／または踵領域を備えることもでき、かつ／あるいは履いている
人の足首および／または脚を取り囲むことができる。外側靴は、実質的にアッパー全体の
周りに配置することができる。
【００３４】
外側靴は、接地部分および上側部分を備えることができる。接地部分は、モジュール式
靴のアウトソールとして機能するように構成することができる。外側靴のプロフィル要素
は、接地部分に配置することができる。上側部分は、つま先領域、甲領域、および／また
は踵領域を備えることができ、履いている人の脚を取り囲むことができ、かつ／あるいは
アッパー全体の周りに配置することができる。上側部分は、アッパーの外部側を形成する
ことができる。接地部分および上側部分は、同じ材料でモノリシックに（例えば単一部片
として）構成して、モノリシックな外側靴を容易に製造できるようにすることができる。
【００３５】
接地部分は、上側部分には設けられない材料を含むこともできる。別法として、または
これに加えて、上側部分は、接地部分には設けられない材料を含むことができる。したが
って、これらの部分は、様々な要件に最適化することができる。例えば、接地部分は、例
えば撥水性、防汚性、防水性、耐摩耗性、非延展性、かつ／または剛性である、追加の材
料を含むことができる。追加の材料は、例えば接地部分の領域で、外側靴の材料に接合（
例えば糊付け）する、またはその他の任意の方法で適用することができる。
【００３６】
別法として、またはこれに加えて、追加の材料を、上記で説明したように、印刷、フロ
ック加工などによって、接地部分および／または上側部分に適用することができる。外側
靴は、例えば接地部分のみでは、完全に、または部分的に、例えばＴＰＵなど、さらに別
の材料層でコーティングすることができる。その後、外側靴のプロフィル要素を、この第
２の材料層に、例えば噴射することができる。接地部分は、例えば、複数の層を含むよう
に構成することができ、例えば成形または噴射されたＰＵ層および／またはＴＰＵ層でコ
ーティングされた、編物材料（メッシュ）のベース層を含むことができる。ＰＵ層および
／またはＴＰＵ層を設けることにより、接地部分における外側靴の引裂き強さおよび耐摩
耗性が高くなる。接地部分は、例えば薄い噴射ＴＰＵまたはＰＵ接地板など、単一層とし
て構成することもできる。
【００３７】
さらに、ＴＰＵ層は、例えば、上側部分のつま先領域に配置することができる。これに
より、この特に負荷のかかる領域において、引裂き強さおよび／または耐摩耗性を高める
ことができる。また、上側部分のその他の特に負荷のかかる領域にも、追加の層を配置す
ることができる。
【００３８】
別法として、またはこれに加えて、接地部分は、上側部分とは異なる基材を含むことも
できる。接地部分および上側部分は、互いに独立して製造し、その後に互いに永続的に接
続することができる。この接続は、例えば、縫製技術またはラスティングによって実現す
ることができる。外側靴は、実質的に、接地部分および上側部分を備える２つの部分とし
て設計することができる。
【００３９】
上側部分は、接地部分の材料より弾性および／または可撓性が高い材料を含むことがで
きる。これにより、フレームを外側靴で覆うこと、またはフレームから外側靴を取り外す
ことがさらに簡略化される一方で、接地部分の頑丈性が高くなる。上側部分は、外側靴の
可撓性かつ／または弾性材料に関連して上記で述べた材料を含むことができる。
【００４０】
外側靴の内部には、剛化板を、例えばつま先領域の底部にしっかりと挿入することがで
きる。これにより、靴の頑丈性が高くなるように、外側靴によって与えられるつま先領域
の基本的な強さを高めることができる。
【００４１】
さらに別の実施形態によれば、そのフレームの周りにソックス状外側靴を脱着可能に配
置して、モジュール式靴、特に運動靴を形成する、フレームが提供される。このフレーム
は、上部部分と、ソール部分とを備え、足を取り囲むように構成される。ソール部分は、
ソックス状外側靴の少なくとも１つのプロフィル要素の領域で、ソックス状外側靴と脱着
可能に緊密に係合するように構成された下側を備える。
【００４２】
このフレームは、足を取り囲み、したがって、フレームおよびモジュール式靴を足に安
全に固定することができることを保証する。フレームのソール部分により、凹凸のある表
面上であっても生じる力が足のある領域にわたって分散し、怪我および圧点が回避される
ことを保証することができる。ソール部分の下側とソックス状外側靴のプロフィル要素と
が緊密に係合することにより、外側靴に関連して上記で既に説明したように、フレームと
外側靴とを容易に位置決めし、安定して接続することができる。これに関して、外側靴は
、フレームの周りに配置される、すなわち少なくとも部分的にはフレームのソール部分お
よび上部部分の周りにも配置される。ソール部分だけでなく上部部分も備えるフレームの
構成により、フレームの周りに配置された外側靴を全ての側面で固定することが可能にな
る。ソール部分は、上部部分の形状に適応した形状を有することができる。フレームと外
側靴とが機能的に分離されることにより、フレームは、足に固定する役割に限定すること
ができ、軽量でミニマルな構成にすることができる。
【００４３】
ソール部分は、少なくとも１つの突起を備えることができる。この少なくとも１つの突
起は、少なくとも１つのプロフィル要素の領域で少なくとも１つのプロフィル要素と緊密
に係合するように構成される。
【００４４】
この少なくとも１つの突起は、ＴＰＵ、ポリアミド１２、ポリアミド１１、およびまた
はＰＥＢＡを含むことができ、かつ／あるいは実質的にこれらの材料のうちの１つからな
ることができる。これらの材料、特にＴＰＵは、摩耗が少なく、例えば更衣室などでソッ
クス状外側靴を履かずに動いたときに地面に対して良好に密着することができる。
【００４５】
ソール部分は、少なくとも部分的には、滑り防止布（ａｎｔｉ−ｓｌｉｐ  ｔｅｘｔｉ
ｌｅ）を備えることができる。したがって、外側靴とフレームとが相対的に動くことをさ
らに防止することができる。滑り防止布は、ソール部分の下側の前足領域に配置すること
ができる。他の例では、例えばゴム要素など、異なる滑り止め要素（ｓｌｉｐ−ｒｅｓｉ
ｓｔａｎｔ  ｅｌｅｍｅｎｔ）を設けることもできる。
【００４６】
フレームおよび／またはソール部分は、例えば、前足領域にいかなる突起も含まないこ
ともある。ただし、フレームと外側靴とが相対的に動くことを防止する働きをする、例え
ばゴム引き布などの滑り防止布などの滑り止め要素は、前足領域に設けることができる。
別法として、またはこれに加えて、滑り止め要素は、外側靴の内部側に設けることもでき
る。前足領域にいかなる突起も設けないと、フレーム上でソックス状外側靴を引っ張った
り、フレームにソックス状外側靴を被せたりすることが有意に容易になることが分かって
いる。
【００４７】
一般に、フレームおよび／または外側靴は、少なくとも１つの滑り止め要素を備えるこ
とができる。例えば、滑り止め要素は、外側靴の内部側、および／またはフレームの外部
側に設けることができる。例えばより高い静止摩擦を有することができる滑り止め要素を
設けることで、フレームと外側靴とが相対的に動くことを実質的に防止することができる
ので、モジュール式靴の頑丈性が大幅に向上することが分かっている。横方向の相対的な
動き（例えば地面と平行な面内）だけでなく、垂直方向の相対的な動きも防止することが
できる。
【００４８】
フレームは、足の甲領域および／またはつま先領域がフレームで覆われないように適応
することができる。足を固定する役割と靴の外側の性質を決定する役割とをフレームと外
側靴との間で分離することにより、フレームは、汎用的に構成することができる。フレー
ムが足の甲領域および／またはつま先領域を覆わない場合には、これらの位置における靴
の局所的な性質は、外側靴のみによって決定される。フレームがないので、例えば、足と
ボールとの密接な接触を保証することができ、これによりサッカーシューズではより良好
なボールコントロールが可能になる。
【００４９】
フレームは、モノリシックに製造することができる。これにより、特に経済的な製造方
法が可能になる。シーム／接合点などを回避することにより、特に、足への圧点、および
フレームが避けたり分離したりする可能性がある脆弱な点が生じる可能性が回避される。
フレームは、例えば、ポリアミド、ＰＥＢＡ、またはＴＰＵを含むことができる。
【００５０】
ソール部分の上側および上部部分の下側は、少なくとも１つの領域で脱着可能に互いに
緊密に係合するように構成することができる。したがって、様々なソール部分と上部部分
とを、互いに脱着可能に結合することができる。
【００５１】
これに関して、ソール部分は、接地板を含むことができ、この接地板は、剛性にするこ
とができ、脱着可能に、または永続的に、上部部分に接続することができる。ソール部分
は、そのような接地板として実質的に構成することもできる。ソール部分は、さらに、踵
領域のソール部分の接地板から上部部分の少なくとも一部に沿って延びることができるヒ
ールカウンタを備えることができる。このヒールカウンタは、モジュール式靴の頑丈性を
高めることができる。さらに、例えばフックなどのロック手段を、ヒールカウンタに設け
ることができ、このロック手段は、モジュール式靴を組み立てた状態で、例えばループな
どの外側靴のカウンタロック手段と協働するように構成される。
【００５２】
さらに別の実施形態によれば、モジュール式靴、特に運動靴は、上記の段落で述べたソ
ックス状外側靴と、上記の段落で述べたフレームとを備える。このモジュール式運動靴は
、ソックス状外側靴が脱着可能にフレームの周りに配置されるように設計される。フレー
ムの下側は、少なくとも１つのプロフィル要素の領域で、ソックス状外側靴と緊密に係合
する。
【００５３】
既述の外側靴を既述のフレームと組み合わせることにより、外側の性質を単一の簡単な
ステップでほぼ任意に変化させることができる、安定したモジュール式靴、特に運動靴が
得られる。また、様々な足の解剖学的構造に合わせて最適化された様々なフレームを使用
して、様々な外側靴と組み合わせることができる。
【００５４】
本発明のさらに別の態様は、請求項２７に記載のソックス状外側靴、請求項３０に記載
のフレーム、および請求項３１に記載のモジュール式運動靴に関する。
【００５５】
１実施形態は、フレームの周りに脱着可能に配置されてモジュール式靴、特に運動靴を
形成する、ソックス状外側靴に関する。このソックス状外側靴は、複数の開口を備え、こ
の複数の開口は、フレームの複数のプロフィル要素がそれらの開口を通って延びることが
できるように構成されて、開口とプロフィル要素との間が封止されるようになっている。
【００５６】
フレームにプロフィル要素を設けることで、外側靴を交換することによって、アッパー
の外側の性質をモジュール式靴の安定性から切り離して変化させることができる。外側靴
の開口をフレームのプロフィル要素に適応させること、および外側靴をフレームの周りに
配置することにより、フレームにおける外側靴の簡単かつ安全な位置決めが保証される。
同時に、外側靴の開口は、水または埃が開口とプロフィル要素の間からモジュール式靴の
中に侵入しないように構成される。追加の封止リングまたはその他の封止要素は、不要で
あるが、排除されるわけではない。
【００５７】
外側靴は、これらの開口のうちの少なくとも１つが３次元形状を有して、この少なくと
も１つの開口の領域で外側靴をフレームの少なくとも１つのプロフィル要素の周りに配置
したときに、プロフィル要素に横方向から当接する封止領域が形成されるように、構成す
ることができる。「封止線」ではなく封止領域を形成するように外側靴を構成することに
より、プロフィル要素と開口の間の封止が大きく改善される。この３次元形状の領域に弾
性材料を使用することにより、封止をさらに改善することができる。
【００５８】
外側靴のこの少なくとも１つの開口は、下に向かって先細になるように構成することが
できる。したがって、外側靴をフレームの周りに配置したときに、ユーザが注意を払わな
くても、自然に封止領域が形成されることを保証することができる。したがって、封止領
域は、プロフィル要素に沿って上から下に自動的に形成される。
【００５９】
さらに別の実施形態は、そのフレームの周りにソックス状外側靴が脱着可能に配置され
てモジュール式靴、特に運動靴を形成する、フレームに関する。このフレームは、上部部
分とソール部分とを備える。ソール部分は、複数のプロフィル要素を備える下側を備え、
この複数のプロフィル要素は、外側靴の複数の開口を通って延びることができるように適
応されて、開口とプロフィル要素との間が封止されるようになっている。
【００６０】
フレームにプロフィル要素を設けることにより、フレームとプロフィル要素に同じ材料
を使用することができることが分かっているので、それらのプロフィル要素をフレームと
モノリシックに形成することができ、同じ製造ステップで製造することができる。モノリ
シックに製造されるフレームのプロフィル要素は、接合（例えば糊付け）されたプロフィ
ル要素で生じる可能性がある脱落を防止することができるので、特に長持ちする。
【００６１】
さらに別の実施形態によれば、モジュール式靴、特に運動靴は、上記の段落で述べた複
数の開口を備えたソックス状外側靴と、上記の段落で述べた複数のプロフィル要素を備え
るフレームとを備える。このソックス状外側靴は、フレームの周りに脱着可能に配置され
る。複数のプロフィル要素は、複数の開口を通って延びて、開口とプロフィル要素との間
が封止されるようになっている。
【００６２】
複数の開口を有する上記の外側靴を複数のプロフィル要素を有する上記のフレームと組
み合わせることにより、外側の性質を単一の簡単なステップでほぼ任意に変化させること
ができる、安定したモジュール式靴、特に運動靴が得られる。この靴では、様々な足の解
剖学的構造に合わせて最適化されたフレームを使用することができる。
【００６３】
本発明によるモジュール式外側靴の流通経路またはビジネスモデルは、フレームの別個
販売を含み得る。これに関して、フレームは、スポーツをする人に直接適応させることが
でき、その本人に直接販売することができる。さらに、複数のソックス状外側靴を別々に
販売することができる。ソックス状外側靴は、ばら売りすることも、セット売りすること
もできる。ソックス状外側靴は、特に、材料、機能、色設計、および／または図柄を、互
いに異なるものにすることができる。したがって、フレームを既に別個に購入している消
費者は、自分の要件に応じて、１つまたは複数のソックス状外側靴を後から購入すること
ができる。また、フレームは、１つのソックス状外側靴またはソックス状外側靴のセット
とともに流通させることも可能である。
【００６４】
さらに別の例によれば、外側靴の予約購入または会員制度を提案することもできる。予
約購入している消費者または会員である消費者には、例えば毎月など定期的に、新しい外
側靴を提供することができる。ただし、フレームは使用し続けることができ、したがって
、一度買えばそれで済ますことができる。
【００６５】
背番号、選手名、国旗、または国名など、特定の視覚的設計要素を、工場で外側靴上に
直接生成する、あるいは店舗で、またはスポーツをする人もしくはエンドユーザが家庭で
、直接生成することもできる。ソックス状外側靴が単一色で出荷することができ、その後
に店舗で、またはエンドユーザによって、設計要素をソックス状外側靴に付けることがで
きる。
【００６６】
さらに、エンドユーザは、外側靴の外観を設計し、その設計をオンラインプラットフォ
ームにアップロードする（またはその他の方法で共通のプラットフォームに登録する）こ
ともできる。関心がある他のユーザは、その設計を有する外側靴をプラットフォームから
購入することができる。自分の設計をプラットフォームと共有したエンドユーザが、各外
側靴が売れる毎に特定の割合または一定の量の利益を得ることも構想することができる。
【００６７】
さらに、外側靴は、例えばサッカーの試合など、特定のイベント用に特に設計すること
もでき、そのイベントに関係する設計を有することもできる。これらの外側靴を、そのイ
ベントに出場する選手が履き、かつ／または観客が購入できるようにすることもできる。
【００６８】
さらに、請求項２７から３１に関連して説明した外側靴、フレーム、およびモジュール
式靴は、請求項１から２６に関連して説明した特徴を含むこともできる。
【００６９】
以下の詳細な説明では、以下の図面を参照して、本発明の実施形態について説明する。
【図面の簡単な説明】
【００７０】
【図１】モジュール式靴、外側靴、および様々なフレームの例を示す図である。
【図２】様々なフレームの例を示す図である。
【図３】フレームの例を示す図である。
【図４】外側靴の例を示す図である。
【図５】フレームの例を示す図である。
【図６】フレームの例を示す図である。
【図７】様々な外側靴の例を示す図である。
【図８】外側靴の例を示す図である。
【図９】モジュール式靴、外側靴、およびフレームの例を示す図である。
【図１０】外側靴の例を示す図である。
【図１１】プロフィル要素、およびフレームの下側との緊密な係合の例を示す図である。
【図１２】モジュール式靴の例を示す図である。
【図１３】モジュール式靴の例を示す図である。
【図１４】外側靴の例を示す図である。
【図１５】外側靴の例を示す図である。
【図１６】外側靴の例を示す図である。
【図１７】モジュール式靴の例を示す図である。
【図１８】モジュール式靴の例を示す図である。
【図１９】モジュール式靴の例を示す図である。
【図２０】モジュール式靴の例を示す図である。
【図２１】プロフィル要素の例を示す図である。
【図２２】モジュール式靴の例を示す図である。
【図２３】モジュール式靴の例を示す図である。
【図２４】外側靴の接地部分およびフレームのソール部分の例を示す図である。
【図２５】フレームの例を示す図である。
【図２６】外側靴を備えたモジュール式靴の例を示す図である。
【図２７】フレームの例を示す図である。
【発明を実施するための形態】
【００７１】
以下の詳細な説明では、主にプロフィル要素を備える運動靴に関連して、本発明の可能
な実施形態について説明する。ただし、本発明は、これらの実施形態に限定されないこと
を強調しておく。本発明は、プロフィル要素を備えるその他のタイプの靴、またはプロフ
ィル要素を備えない靴とともに使用することもできる。
【００７２】
以下では、本発明の個別の実施形態についてのみ詳細に説明することに留意されたい。
当業者なら、これらに関連して説明する可能な設計オプションを本発明の範囲内で改変す
る、または互いに組み合わせることもできること、および個々の特徴をそれらが不要であ
ると思われる場合には省略することもできることを理解するであろう。重複を避けるため
、特に、以下の詳細な説明でも有効である上記段落の説明も参照されたい。
【００７３】
図１Ａは、モジュール式靴１００の一例を示す図である。フレーム１１０の周りに外側
靴１５０が配置されている。外側靴は、例えば、ＰＵまたはＴＰＵを含む。外側靴１５０
は、下に向かって先細になるように構成された複数のプロフィル要素１６５を備える。各
プロフィル要素１６５は、外側靴の内部側に凹部を備える。
【００７４】
フレーム１１０は、複数の突起１２５を有するソール部分１２０を備える。この複数の
突起は、プロフィル要素１６５の複数の凹部と緊密に係合して、緊密係合を形成するよう
に構成される。このようにフレーム１１０の周りに外側靴１５０を配置することにより、
フレーム１１０の下側とプロフィル要素との間の緊密係合が永続的に安定し続けることが
保証される。
【００７５】
フレーム１１０は、上部部分１３０を備える。上部部分１３０は、足を取り囲み、図１
Ａには図示していないレース締め具によって足に固定される。外側靴１５０は、フレーム
のソール部分１２０および上部部分１３０の周りに配置される。
【００７６】
図１Ｂは、図１Ａのフレーム１１０を示す図である。フレーム１１０は、モノリシック
に製造される。フレーム１１０は、硬質プラスチックで構成することができ、例えば、ポ
リアミド、ＰＥＢＡ、またはＴＰＵを含むことができる。フレーム１１０は、例えば、射
出成形を用いて製造することができる。フレームは、例えば、３Ｄ印刷を用いて製造する
こともできる。３Ｄ印刷は、個々の店舗で行うことができ、フレームの形状を客の足の形
状に個々に適応させることができる。あるいは、３Ｄ印刷は、客自身が自分の家で、例え
ば自分の個別の要件および／または足の形状に応じて行うこともできる。上部部分１３０
は、フレームのレース締め具のために設けられた部分１３１を備える。別の例を参照して
後述するように、他の締め具を設けることもできる。つま先領域１８０には、フレームが
設けられないままである。したがって、良好な通気性、およびボールと接触したときの良
好なボールコントロール性を保証することができる。例えば踵領域、あるいは足の内側（
ｍｅｄｉａｌ  ｓｉｄｅ）および／または外側（ｌａｔｅｒａｌ  ｓｉｄｅ）の１つまた
は複数の領域など、その他の領域も、フレーム１１０を設けずにおくことができる。足の
外側および／または内側には、フレームの１つまたは複数のクロスストラット１３６を設
けることができる。ソール部分１２０は、連続的であるように構成される。
【００７７】
図１Ｃは、靴を履く人の個々の解剖学的構造に適応させることができる、様々な構成の
踵部分を備えるフレームの別の例を示す図である。必要に応じて、フレームによって踵領
域に高い頑丈性または低い頑丈性を与えることができる。また、クロスストラットおよび
つま先領域は、フレームによって頑丈性、通気性、および／またはボールコントロール性
を向上させることができるように、個別に適応させることができる。
【００７８】
図２は、フレームの別の例を示す図である。図２Ａのフレーム２１０は、連続的なソー
ル部分２２０と、上部部分２３０とを備える。ソール部分２２０は、複数の突起２２５を
備える。上部部分２３０は、レース締め具２３１と、任意選択の押しボタン２３３とを備
える。レース締め具を援用して、フレーム２１０を足に固定する。突起２２５を援用した
緊密係合に加えて、任意選択の押しボタン２３３を援用して、外側靴をフレーム２１０に
脱着可能に取り付けることができる。押しボタン２３３は、例えば踵領域の縁部など、使
用者の邪魔にならない領域に配置される。フレームは、任意選択で、裏張り２３８を備え
る。さらに、１つまたは複数の中敷きを、フレーム２１０内に設けることもできる。
【００７９】
フレーム２１０は、上部部分２３０に複数のクロスストラットを備え、それらの間に空
き部分が配置される。空き部分では、例えばフレームの内部など、フレームに織物を配置
して、快適な履き心地を保証することができる。織物は、例えば、圧点を防止することが
できる。織物は、その組成および網目の大きさに関して必要に応じて選択して、様々な安
定性および／または通気性を実現することができる。
【００８０】
図２Ｂは、フレーム２１０のソール部分２２０の下側を示す図である。ソール部分２２
０の下側の前足領域および踵領域には、いくつかの円筒形突起２２５が配置される。これ
らは、下に向かって先細にすることができる。さらに、ソール部分２２０の長手方向軸に
対して直交して延びる細長い突起２２５が、任意選択で、後部踵領域の中心に配置される
。この細長い突起２２５は、足の長手方向軸の周りにおけるソール部分２２０の捻れに抵
抗して、フレーム２１０によって頑丈性が向上するようにすることができる。足の土踏ま
ずの領域には突起２２５が設けられないままになっており、足のローリング運動を容易に
することができる。さらに、例えば足の土踏まずの領域に長手方向に延びて足のローリン
グ運動を容易にする溝２２６を、ソール部分に設けることができる。
【００８１】
図２Ｃから図２Ｅは、フレームのさらに別の例を示す図である。図２Ｃから分かるよう
に、フレームに配置される織物は、より粗い構造を有することもできる。それにより、通
気性を向上させることができる。さらに、ソール部分の突起の直径を大きくして、その分
だけ外側靴との緊密な係合を適応させることができる。図２Ｄのフレームは、より幅広の
クロスストラットを備える。足の踵領域およびつま先領域には、フレームが設けられる。
したがって、フレームにより、頑丈性が向上する。図２Ｅのフレームは、ソール部分とは
異なる材料で構成された突起を備えたソール部分を備える。これらの突起は、例えば、外
側靴の凹部との摩擦がより大きい材料で構成することができる。
【００８２】
図３は、フレーム３１０の別の例を示す図である。フレーム３１０は、ソール部分３２
０を備える。ソール部分３２０は、フレーム３１０が与える頑丈性を高める踵部分３２３
を備える。ソール部分３２０は、外側靴のプロフィル要素の領域の凹部と緊密に係合する
ように構成された、複数の突起３２５を備える。突起３２５は、ソール部分の踵領域、お
よび足の土踏まずの前部領域に配置される。ソール部分３２０の前足領域３２１は、突起
を備えない。これにより、外側靴でフレーム３１０を覆いやすくなる。フレーム３１０と
その周りに配置される外側靴とが相対的に動くことを防止するために、フレーム３１０は
、上述した緊密係合のための突起３２５の他に、外側靴との静止摩擦を高める材料を含む
ことができる。この材料は、前足領域３２１、および／または踵部分３２３の上方の領域
３２４に設けることができる。前足領域３２１では、これにより、突起がなくても、外側
靴がフレームに対して滑るのを防止することができる。領域３２４のより高い静止摩擦を
有する材料が、さらに、外側靴がフレーム３１０に対して垂直方向に滑るのを防止して、
フレーム３１０が外側靴から「抜ける」のを防止することができるようにする。他の例で
は、代替として、または追加的に、より高い静止摩擦を有する材料を、フレームの他の領
域に設けることもできる。より高い静止摩擦を有する材料は、例えば、ゴム材料である。
ゴム材料は、フレームに直接適用することができる。あるいは、ゴム引き繊維を、例えば
接着（例えば糊付け）によってフレームに取り付けることもできる。
【００８３】
フレーム３１０は、さらに、上部部分３３０を備える。上部部分３３０は、基材として
延展性布（ｅｘｔｅｎｄａｂｌｅ  ｔｅｘｔｉｌｅ）を備えることができる。基材は、基
本的には、足の上側部分の全体を覆うことができる。上部部分３３０は、任意選択で、レ
ース締め具３３１と、シーム３７２とを備える。さらに、フレームは、任意選択で、急速
締めシステムを備える。また、フレームの内側面および外側面に配置された、フレームの
ソール部分から上部部分の甲領域にそれぞれ延びるストリップ３３２を備える外側適応シ
ステムも設けられる。各ストリップは、レース締め具３３１の紐の周りに巻き付き、それ
らと協働する。ストリップ３３２は、さらに、内側領域および外側領域で履いている人の
足にフレームを最適に馴染ませる働きをする。ストリップは、足の周りにおける上部部分
の快適かつ安全な固定を実現する。レース締めシステム３３１および任意選択の急速締め
システムは、ストリップ３３２を張るように構成することができる。他の例では、ストリ
ップ３３２の数を増やすことも減らすこともでき、あるいは他のストリップ３３２を設け
ることもできる。いくつかの例では、外側靴のループまたはフックとそれぞれ協働するよ
うに構成されたフックおよび／またはループを、上部部分３３０の踵領域に例えば横方向
に、かつ／またはソール部分３２０の踵部分３２３の領域に例えば横方向に、設けること
ができる。
【００８４】
図４Ａから図４Ｂは、外側靴４５０の一例を示す側面図である。外側靴４５０は、図２
Ｅのフレームの周りに配置することができるように構成される。特に、外側靴４５０は、
図２Ｅのフレームの突起と緊密に係合することができる凹部をそれぞれ有する複数のプロ
フィル要素４６５を備える。外側靴４５０は、外側靴をフレームの上部部分にさらに固定
することができるフック及びループファスナ４７１を備える。
【００８５】
別法として、またはこれに加えて、例えば足の甲領域に沿ってセンタリングして、ジッ
パファスナを設けることができる。他の例では、他のファスナも可能である。ただし、外
側靴の分離したファスナは、単なる任意選択のものである。フレームにおける外側靴の固
定は、例えば、外側靴を弾性材料を用いて構成することによって保証することもできる。
【００８６】
外側靴４５０は、さらに、足首または脚の周りに延びるシーム４７２を備えることもで
きる。これにより、外側靴４５０の摩滅、あるいは外側靴４５０の中に上から水分または
埃が入ることを防止することができ、快適な履き心地を保証することができる。外側靴４
５０は、防水材料で構成することができ、透明に構成することもできる。他の例では、外
側靴４５０を様々な色および／または透明度にすることができる。外側靴４５０は、さら
に、踵領域の剛化要素４７８と、脚の内側および外側の剛化要素４７９とを備えることが
できる。これらは、外側靴が裂けたり伸び過ぎたりする危険性の防止の一助となることが
できる。
【００８７】
図５Ａおよび図５Ｂは、足を取り囲むフレーム５１０の別の例を示す側面図および底面
図である。フレーム５１０は、ソール部分５２０を備える。ソール部分５２０は、モノリ
シックに製造することができ、外側靴と脱着可能に緊密に係合する複数の突起５２５を備
える。任意選択で、中敷きを、脱着不能または脱着可能にソール部分５２０に接続するこ
とができる。
【００８８】
フレーム５１０は、サンダル状に構成された、上部部分１３０より軟らかく構成された
上部部分５３０を備える。フレームは、サンダル状の様々な構成にすることができ、特に
ミニマルおよび単純な構成にすることができる。これにより、フレームは、常に足を取り
囲むことができる。すなわち、ソール部分および上部部分によって、フレームが足に固定
されることが保証されている。
【００８９】
上部部分５３０は、踵領域および上部甲領域で足を取り囲む第１の接続要素５３１を含
む。第２の接続要素５３２は、下部甲／つま先領域の周りに配置される。接続要素５３２
は、ストラップを形成している。接続要素５３２は、２つの部分を含むことができる。非
延展性に構成することができる第１の部分は、ソール部分５２０の下に延びる。例えば弾
性に構成する、またはフック及びループファスナを備えた構成にすることができる第２の
部分は、ソール部分５２０の上に延びる。したがって、接続要素５３２の、それぞれの足
の下部甲／つま先領域との良好な適合を保証することができる。接続要素５３１も、２つ
の部分を含むことができる。第１の部分は、ソール部分５２０の下に延び、ソール部分５
２０より上では足の踵領域の周りに延びる。第１の部分は、非延展性材料で構成すること
ができ、ストラップの形状になっている。接続要素５３１の第２の部分は、第１の部分か
ら足の上部甲領域の周りに延びている。この第２の部分は、弾性に構成する、またはフッ
ク及びループファスナを備えた構成にして、それぞれの足の解剖学的構造に応じてフレー
ムを固定することができる。
【００９０】
接続要素５３１および５３２は、図５Ｂに示すように、上部部分５３０をソール部分５
１０に固定することができるように、ソール部分５１０の突起５２５を通すための開口を
備えることができる。さらに、上部部分５３０は、ソール部分５２０と接合（例えば糊付
け）することもできる。フレーム５１０は、外側靴と脱着可能に接続するための任意選択
の押しボタン５３３を備える。
【００９１】
図６は、サンダル状に構成された上部部分６３０を備えたフレーム６１０の別の例を示
す図である。フレーム６１０は、接続要素６３１を備え、この接続要素６３１は、接続要
素５３１と同様に構成されている。しかし、第２の接続要素６３２は、接続要素５３２と
は対照的に、２本のストラップを含む。この２本のストラップは、互いに重なり合ってい
るが、互いに対してわずかに回転した状態で配置されており、これらのストラップは、垂
直軸の周りでそれぞれ約＋３０°および−３０°だけ回転している。したがって、フレー
ム６１０内の前足領域の頑丈性を高めることができる。
【００９２】
図７Ａおよび図７Ｂは、外側靴７５０の側面図および底面図である。この外側靴は、上
側部分７７０と、接地部分７６０とを備える。上側部分７７０は、外側靴７５０がフレー
ムの周りに配置されたときに、モジュール式靴の上側部分の外側を実質的に形成する。上
側部分７７０は、織物および／またはプラスチックを含むことができる。上側部分７７０
は、実質的に単一の材料で構成することができる。任意選択で、踵要素を、上側部分７７
０に縫い付けることができる。上側部分７７０は、例えば図２Ａを参照して説明したよう
に、フレームの対応する押しボタンに脱着可能に接続するための押しボタン７７３を備え
ることができる。さらに、上側部分７７０は、シーム７７２を備えることができる。外側
靴７５０は、ジッパファスナ７７１を備えることもできる。したがって、外側靴７５０を
、さらに容易にフレームの周りに配置することができる。外側靴７５０のジッパファスナ
７７１は、靴の長手方向に沿って上部甲領域に取り付けられる。ジッパファスナ７７１は
、靴の用途に応じて様々な位置に取り付けることができる。サッカーシューズとして使用
するときには、ジッパファスナは、例えば、足の踵領域の縁部に設けることができる。外
側靴７５０の接地部分７６０は、上側部分７７０とは異なる材料で構成することができる
。上側部分７７０と接地部分７６０とは、互いに縫い付ける、または接合する（例えば糊
付けする）ことができる。したがって、上側部分７７０と接地部分７６０とで異なる性質
を得ることができる。
【００９３】
図７Ｂに示すように、接地部分７６０は、外側靴７５０によって与えられる安定性を高
める働きをする複数のプロフィル要素７６５を備える。プロフィル要素７６５のうちの少
なくとも１つは、フレームの下側と緊密に係合して、安定して、ただし脱着可能に、フレ
ームの周りに外側靴７５０を配置するように構成される。プロフィル要素７６５は、前足
領域および踵領域に配置される。これに関して、前足領域では、プロフィル要素７６５は
、円形に配置され、個々のプロフィル要素７６５は、前足領域周辺における靴の急旋回を
容易にするように非対称に構成される。足の土踏まずの領域にはプロフィル要素を設けず
、足のローリング運動を妨げないようにすることができる。
【００９４】
図７Ｃは、それぞれの要件に応じて視覚的（ｏｐｔｉｃａｌ）に機能化および／または
設計されている外側靴７５０の上側部分７７０の一例を示す図である。図７Ｃの例によれ
ば、靴の甲領域に、追加の材料を備えたいくつかのゾーンが設けられる。この目的のため
には、上側部分７７０に、例えば追加の材料を印刷、コーティング、積層、および／また
は接合（例えば糊付け）することができる。したがって、接地部分７６０も、例えば耐水
性および／または耐汚れ性コーティングなど、追加の材料を備えることができる。図７Ｄ
は、様々なゾーン７９１、７９２を備えた外側靴の別の例を示す図である。様々なゾーン
７９１、７９２は、異なる機能を備えることができ、様々な材料で、ほぼ任意の視覚的（
ｏｐｔｉｃａｌ）な構成にすることができる。
【００９５】
図７Ｅに示すように、外側靴は、例えば革または人工皮革など、外側靴の他の部分とは
異なる材料で構成された、少なくとも１つのゾーン７９０を備えることもできる。この少
なくとも１つのゾーン７９０は、例えば、外側靴の他の部分に縫い付けることができる。
また、様々な材料の複数のゾーンを備える外側靴は、上述のように、印刷などによって様
々な機能を与え、かつ／または視覚的（ｏｐｔｉｃａｌ）に設計することができる。最後
に、外側靴は、例えば図７Ｅに示すように、外側靴を足の上部甲領域に固定するためのフ
ック及びループファスナも備えることができる。フック及びループファスナは、図７Ａの
ジッパファスナ７７１の代替として、または図７Ａのジッパファスナ７７１に追加して、
設けることができる。
【００９６】
図８Ａは、外側靴８５０の別の例を示す図である。外側靴８５０は、複数のプロフィル
要素を備える接地部分８６０を備える。さらに、外側靴８５０は、接地部分８６０とは異
なる材料で構成された上側部分８７０を備える。上側部分８７０は、任意選択で、固定ヒ
ールカウンタを備える。上側部分８７０の上部踵領域には、フラップ８７４を設けること
ができ、フラップ８７４は、フレームを外側靴で覆うこと、およびフレームから外側靴を
取り外すことを容易にすることができる。上側部分８７０は、いくつかのゾーン８９０か
ら８９４を備える。ゾーン８９０から８９３は、例えば伸縮性布などの伸縮性材料を含み
、様々なＰＵ層でコーティングされる。これにより、これらのゾーンは、耐摩耗性がより
高く、より高い引張り強さを有し、かつ／またはより高いボールとの接触の密着性を有す
るように構成することができる。例えば、より高い密着性は、ゾーン８９３で実現するこ
とができる。つま先領域に配置されるゾーン８９４は、例えば本革など、革で構成される
。つま先領域の革材料は、サッカーシューズではより良好なボールの感触をもたらすこと
ができる。任意選択で、ゾーン８９４は、例えばＰＵなど、さらに別の機能的材料を備え
ることもできる。他の例では、さらに別の、かつ／またはその他のゾーンを設けることも
できる。
【００９７】
図８Ｂは、外側靴８５１の別の例を示す図である。外側靴８５１は、上側部分８７１を
備える。上側部分８７１は、その全体が、例えば伸縮性布などの伸縮性材料で構成される
。上側部分８７１のゾーン８９０から８９３が設けられるが、これらは、基本的に、図８
Ａの上側部分のゾーン８９０から８９３として構成することができる。さらに、上側部分
は、ゾーン８９５から８９７を備える。ゾーン８９５および８９６は、それぞれゾーン８
９０および８９３と同様に構成することができる。ゾーン８９７は、例えば、コーティン
グおよび／または接合補強要素による追加の補強材を備えて、外側靴の長期頑丈性を高め
ることができる。その他の点は、外側靴８５１は、外側靴８５０と同様に構成することが
できる。
【００９８】
図９Ａから図９Ｂは、それぞれ、フレーム９１０および外側靴９５０を備えるモジュー
ル式靴９００の一例を示す側面図および底面図である。フレーム９１０は、図３を参照し
て説明したフレーム３１０と同様に構成することができる。外側靴９５０は、複数のプロ
フィル要素９６５を備える接地部分９６０を備える。踵領域のプロフィル要素および足の
土踏まずの前部領域の２つのプロフィル要素は、それぞれそれらの上側に、フレーム９１
０の対応する突起（図３参照）と緊密に係合する凹部を備える。前足領域のこの４つのプ
ロフィル要素９６５は、このような凹部を備えない。フレーム９１０は、したがって、前
足領域の突起も備えていない（図３参照）。他の例では、異なる数のプロフィル要素を設
けることもでき、凹部もあってもなくてもよい。外側靴９５０は、実質的に２つの部分と
して製造することができる。外側靴９５０の接地部分９６０は、プロフィル要素９６５を
例えば成形することができる第１の材料を含む。第１の材料は、織物または布のベース層
と、その上に適用されたＴＰＵまたはＰＵの層とを含むことができる。ＰＵ、特にＴＰＵ
の層は、接地部分９６０の耐摩耗性を高めることができる。プロフィル要素９６５を取り
付ける前および／または後で、例えば前足領域に別の層を設けて、耐摩耗性を局所的にさ
らに高めることもできる。
【００９９】
外側靴９５０は、接地部分９６０の第１の材料とは異なる材料で構成された上側部分９
７０をさらに備える。上側部分９７０の材料は、接地部分９６０の第１の材料より可撓性
および／または弾性を高いものとすることができる。例えば、ＰＵコーティングを備える
弾性布を、この目的のために設ける。この材料により、例えば、上側部分９７０の良好な
適合を実現することができる。一般に、このために、織布、編物、ポリウレタン、革、ポ
リアミド１２、ＰＥＢＡ、および／またはＴＰＵを使用することもできる。上側部分９７
０には、例えば合成ＰＵ材料、織物、革、ＴＰＵなど、既知のサッカーシューズの上側材
料として従来使用されている材料を使用することもできる。ただし、上側部分の材料は、
伸縮性および／または可撓性を高めるために、より薄く構成されることもある。靴に固定
するために必要な頑丈性は、フレーム９１０によって与えられる。上側部分は、それぞれ
異なる構成にする、または異なる機能を備えることができる、複数のゾーン９９０を備え
ることができる。さらに、上側部分は、重なり合う層を備えることもできる。このように
して作成された縁部９７１は、コーティング、セメント、およびまたはその他の機能性要
素によって接続することができる。ただし、縁部９７１は、単純に重なり合うこともでき
、部分的に互いに縫い合わせることもできる。
【０１００】
外側靴９５０の上側部分９７０および接地部分９６０は、様々な方法で互いに永続的に
接続することができる。接地部分９６０は、上側部分９７０の下側に接合することができ
る。接地部分９６０は、上側部分９７０の下側の全体を覆わなくてもよく、上側部分９７
０の下側の特定のゾーン９９１には、接地部分９６０がないままであってもよい。
【０１０１】
別法として、またはこれに加えて、上側部分と接地部分とを互いに縫い合わせることも
できる。また、ラスティングまたはボードラスティング方法によって上側部分を接地部分
に接続することもできる。この目的のためには、薄膜、薄布、または薄接地板の形状の中
敷き（Ｂｒａｎｄｓｏｈｌｅ）を足型の上に配置し、ラスティングによって上側部分を薄
膜、薄布、または薄接地板と接続することができる。その後、接地部分を、薄膜、薄布、
または薄接地板と接合することができる。
【０１０２】
全ての代替形態において、プロフィル要素９６５は、接地部分９６０を上側部分９７０
に接続する前に、接地部分９６０に適用することができる。プロフィル要素９６５を適用
した後で、接地部分９６０のプロフィル要素９６５の領域に、例えば打抜きによって開口
を開けることができる。同じ製造ステップで、またはこれとは別に、必要であれば、対応
する開口を、上側部分９７０の下側にも開けて、フレーム９１０の突起（図３参照）がプ
ロフィル要素の対応する凹部と係合することができるようにすることもできる。これは、
接地部分９６０を上側部分９７０に取り付ける前に行うこともできるし、後で行うことも
できる。
【０１０３】
図１０Ａおよび図１０Ｂは、外側靴１０５０の別の例を示す側面図および底面図である
。外側靴１０５０の上側部分１０７０および接地部分１０６０は、同じ材料で構成される
。上側部分１０７０と接地部分１０６０とは、互いに縫い合わせられている。ただし、こ
れらは、モノリシックに製造することもできる。外側靴１０５０は、任意選択で、履き心
地を高めるための裏張り１０８８を備える。外側靴１０５０は、上部甲領域に、適合性を
高めることができるように弾性に構成することができる分離部分を備えることができる。
さらに、外側靴１０５０は、ジッパファスナ１０７１を備える。ジッパファスナは、外側
靴の外側に沿って、足の小指の領域から足の足首の領域に延びる。
【０１０４】
図１０Ｂに示すように、外側靴の接地部分は、複数のプロフィル要素を備える。これら
は、基本的には、図７Ｂを参照して既に述べたように配置される。プロフィル要素は、射
出成型方法によって、接地部分１０６０に直接成形することができる。プロフィル要素は
、例えばＴＰＵを含む。
【０１０５】
図１１Ａから図１１Ｅは、外側靴のプロフィル要素１１６５とフレームの突起１１２５
との相互作用の例を示す図である。図１１Ａは、例えば図１０Ａから図１０Ｂの外側靴に
設けられたときの、複数のプロフィル要素１１６５の上側を示す斜視図である。これらの
プロフィル要素は、それぞれ非対称に構成される。さらに、これらのプロフィル要素の直
径は、下から上に向かって先細になっている。各プロフィル要素の上側には、凹部１１６
５ａが設けられる。凹部１１６５ａは、各プロフィル要素のほぼ中心に配置される。凹部
１１６５ａは、単純な円筒形の窪みとして設けることができる。ただし、凹部１１６５ａ
は、いくつかの段を有する構成にすることもできる。特に、凹部１１６５ａは、凹部１１
６５ａが平坦に構成される外側領域を備えることができる一方で、内側領域では、より急
勾配にすることもできる。凹部１１６５ａは、特に、下に向かって先細になるように構成
することができる。このような２段の、かつ／または先細の凹部１１６５ａにより、凹部
１１６５ａとフレームとの緊密な係合部を、より容易に製造し、より安定して構成するこ
とができる。他の例では、プロフィル要素は、いくつかの凹部を備える。凹部１１６５ａ
に加えて、または凹部１１６５ａの代替として、プロフィル要素１１６５は、図１１Ｄを
参照して述べたように、フレームの対応する細長い突起１１２５と緊密に係合することが
できる細長い凹部１１６５ｂを備えることもできる。図１１Ｄの細長い突起１１２５は、
主として、２つの後部のプロフィル要素１１２５の間の後部踵領域で曲げ剛性および／ま
たは曲げ強さを高める働きをする。
【０１０６】
図１１Ｂは、射出成形を用いて外側靴の接地部分１１６０に射出されたプロフィル要素
１１６５を示す底面図である。他の例では、プロフィル要素１１６５は、外側靴の全体に
射出することもできるし、あるいは例えば接合（例えば糊付け）など他の方法で、外側靴
または接地部分１１６０に取り付けることもできる。
【０１０７】
図１１Ｃは、図１１Ｂのプロフィル要素および接地部分１１６０を示す上面図である。
図１１Ｃから分かるように、接地部分は、プロフィル要素１１６５ごとに開口を備える。
これらの開口に、フレームの下側の対応する突起を、プロフィル要素１１６５の凹部１１
６５ａおよび１１６５ｂの中まで通して、緊密な係合を生じるようにすることができる。
【０１０８】
図１１Ｄから図１１Ｅは、図１１Ｂから図１１Ｃの外側靴の接地部分１１６０と緊密に
係合するように構成された、フレームのソール部分１１２０を示す底面図および上面図で
ある。図１１Ｄに示すように、ソール部分１１２０は、接地部分１０６０のプロフィル要
素１１６５の凹部１１６５ａおよび１１６５ｂと緊密に係合することができる複数の突起
１１２５を備える。これに関して、突起１１２５は、突起２２５に関連して上述したよう
に構成することができる。さらに、ソール部分１１２０は、溝２２６に関連して上述した
ように、溝１１２６を備えることができる。
【０１０９】
図１１Ｅに示すように、ソール部分１１２０の上側に突起１１２３を設けて、以下の図
面を参照してさらに説明するように、ソール部分１１２０とフレームの上部部分との緊密
な係合を可能にすることができる。次いで、フレームの上部部分とソール部分とを互いに
脱着可能に接続する。フレームの周りに配置された外側靴が、上記の緊密な係合に加えて
、この脱着可能な接続を安定な状態に保つ。別法として、またはこれに加えて、ソール部
分を、フレームの上部部分と接合することができる。
【０１１０】
図１２Ａから図１２Ｅは、フレーム１２１０および外側靴１２５０の別の例を示す図で
ある。図１２Ａは、ソール部分１２２０を備えたフレーム１２１０の一例を示す図である
。ソール部分１２２０は、硬質プラスチックで構成して、フレーム１２１０の高い頑丈性
を実現することができる。ソール部分１２２０は、足の踵領域でわずかに高くなるように
構成して、足の踵領域の周りに部分的に延びるようにすることができる。フレーム１２１
０は、レース締め具１２３１を備えた上部部分１２３０をさらに備える。上部部分１２３
０は、例えば、革または人工革を含むことができる。上部部分１２３０は、足のつま先領
域１２８０および踵領域にも配置される。足の外側面および内側面では、上部部分１２３
０は、空き領域を備える。この部分には、いくつかのクロスストラット１２３６が配置さ
れ、それらの間に、任意選択で、例えば図２Ａを参照して上述したように織物を配置する
ことができる。ただし、別法として、これらの空き領域には、フレームがなくてもよい。
フレーム１２１０は、任意選択で裏張り１２３７を備える。ソックス状外側靴のプロフィ
ル要素と協働するソール部分１２２４の突起は、図１２Ａには示していないが、存在して
いてもよい。
【０１１１】
図１２Ｂは、フレーム１２１０ａの実施形態のさらに別の変形形態を示す図である。フ
レーム１２１０ａの下側は、複数の突起１２３５を備える。この変形形態では、突起１２
３５は、フレーム１２１０ａの下側に接合（例えば糊付け）される。突起１２３５は、ソ
ックス状外側靴の対応するプロフィル要素の複数の凹部と協働して、緊密に係合すること
ができる。
【０１１２】
図１２Ｃは、フレーム１２１０の上部部分１２３０と、それに適用されたソール部分１
２２０とを示す斜め底面図である。ソール部分１２２０は、その下側に複数の突起１２２
５を備え、これらの突起は、外側靴１２５０（図１２Ｅ参照）のプロフィル要素１２６５
の領域の対応する凹部と緊密に係合するように構成される。
【０１１３】
図１２Ｄは、対向するプロフィル要素１２６５（図１２Ｅ参照）の領域にそれぞれは位
置された複数の凹部１２６６を備えるソール取付部１２６１を示す図である。ソール取付
部１２６１は、例えば、射出成形によりモノリシックに形成される。ソール取付部１２６
１は、ソール取付部１２６１の特定の視覚的および／または機械的性質が得られるように
配置することができる、複数の通し穴を備える。別法として、またはこれに加えて、その
他の窪みを設けることもできる。
【０１１４】
図１２Ｅは、外側靴１２５０に取り付けられた複数のプロフィル要素１２６５を備える
ソール取付部１２６１を示す図である。例えば、ソール取付部１２６１は、外側靴１２５
０に接合（例えば糊付け）される。外側靴１２５０は、プロフィル要素１２６５の上また
は凹部１２６６の上の領域に開口を備え、フレーム１２１０の突起１２２５が凹部１２６
６と緊密に係合することができるようになっている。他の例では、複数のプロフィル要素
は、１つまたは複数のソール取付部によって接続することができ、また外側靴に取り付け
ることができる。
【０１１５】
図１３Ａから図１３Ｂは、モジュール式靴１３００の一例を示す図である。図１３Ａか
ら分かるように、モジュール式靴１３００は、複数のプロフィル要素１３６５を備える外
側靴１３５０を備える。外側靴１３５０は、ほぼ足の足首の下の領域まで延びる。他の例
では、外側靴は、足の足首の上の領域まで、またはそのさらに先まで延びることもできる
。
【０１１６】
図１３Ｂは、モジュール式靴１３０１の修正変形形態を示す図である。外側靴１３５０
は、シーム１３７２を備える。この外側靴は、外側靴内に配置されたフレーム１３１１の
いくつかのフラップを通すための１つまたは複数の開口を、足の甲領域に備える。これら
のフラップは、フレームのレース締め具１３３１を形成することができる。フラップを外
側靴１３５０の１つまたは複数の対応する開口に通すことによって、レース締め具１３３
１は、足の甲領域内で外側靴の周りに部分的に延びることもできる。したがって、フレー
ムにおける外側靴の追加的な脱着可能な固定を保証することができる。フレームは、ネオ
プレンを含むことができる伸縮性材料を含むことができる。
【０１１７】
図１４Ａから図１４Ｃは、外側靴１４５０の別の例を示す側面図および底面図である。
この外側靴は、シーム１４７２を備えることができ、いくつかのプロフィル要素１４６５
を備える。外側靴１４５０は、足のつま先／甲領域に、ボールと接触する摩擦が高められ
たいくつかのゾーン１４９０を備える。これらのゾーン１４９０では、この目的に適した
材料が、外側靴１４５０に適用される。さらに、外側靴１４５０は、特定のゾーンに耐摩
耗性材料を同様に備えることができる。密着性を高めるために、例えばゴム材料を使用す
ることができる。耐摩耗性を高めるために、ＴＰＵ箔を例えば積層するなどして適用する
こともできるし、あるいは別の材料を射出することもできる。別法として、例えばアラミ
ドまたはポリウレタンなど、耐摩耗性ファイバの織物を使用することもできる。これに関
して、１つのゾーンが、つま先領域および甲領域の全体を覆うこともできる。また、つま
先領域、甲領域および／または足の内側、ならびに／あるいはその他のゾーンに、１つま
たは複数の分離したゾーンを設けることもできる。プロフィル要素１４６５は、三角スタ
ッドとして構成される。他の例では、他のタイプのスタッドを設けることもできる。特に
、外側靴の個々のスタッドが、異なる形状、色、および／または材料を含むこともできる
。
【０１１８】
図１５は、外側靴１５５０の別の例を示す図である。外側靴１５５０は、外側靴１４５
０と同様に構成される。ただし、外側靴１５５０は、外側靴１４５０のような単純なシー
ムは備えず、フック及びループファスナ１５７１を備えたより複雑なシーム１５７２を備
える。フック及びループファスナ１５７１は、足の足首の領域またはその領域の上方で、
外側靴を脚の周りに固定することを保証する。同時に、シーム１５７２は、フック及びル
ープファスナ１５７１とシーム１５７２との間に開口が形成されるように、脚の上部甲領
域の周りに延びる。これにより、歩いたり走ったりするときに発生する、足に対する脚の
曲げ運動を容易にすることができる。外側靴１４５０と比較すると、外側靴１５５０は、
摩擦が高められた、配置の異なるゾーン１５９０を備える。
【０１１９】
図１６Ａから図１６Ｂは、外側靴１６５０の別の例を示す図である。この外側靴は、上
述のように構成することができる上側部分１６７０を備える。さらに、外側靴１６５０は
、発泡ＴＰＵの層１６６２を備える接地部分１６６０を備える。この層は、任意選択で、
例えばゴムを含む外底で覆うことができる。この層によって、接地部分は、特殊な緩衝性
を備えた構成にすることができる。図１６Ｂに示すように、複数の凹部または孔を発泡Ｔ
ＰＵの層１６６２に設けることができ、その下に、複数のプロフィル要素を配置すること
ができる。これらの凹部および／またはプロフィル要素の凹部は、外側靴１６５０のフレ
ームの対応する突起と緊密な係合を形成するように設けることができる。
【０１２０】
図１７から図２０は、モジュール式靴ならびに対応するフレームおよび外側靴の様々な
例を示す図であり、これらの外側靴はそれぞれ、対応するフレームの下側の複数の突起と
脱着可能な緊密な係合を形成する複数のプロフィル要素を備える。
【０１２１】
図１７Ａのフレーム１７１０は、複数の突起１７２５を備えるソール部分１７２０を備
える。さらに、ソール部分１７２０は、踵部分１７２３を備える。ソール部分は、例えば
硬質プラスチックで構成することができ、モノリシックに製造することができる。フレー
ム１７１０は、上部部分１７３０をさらに備える。上部部分１７３０は、サンダル状に構
成される。上部部分１７３０は、ヌース（ｎｏｏｓｅ）状部分１７３１、１７３２、およ
び１７３３を備える。各ヌース状部分は、４つのセグメントを備える。別の例では、設け
られるセグメントの数は、４つより多くてもよいし、あるいは少なくてもよい。ヌース状
部分１７３１は、脚の足首領域の周りに延び、脚の踵領域および上部甲領域を取り囲む。
第２のヌース状部分１７３２は、足の上部甲部分および足の土踏まずの領域を取り囲む。
第３のヌース状部分１７３３は、足の踵領域および土踏まずの領域の周りに延びる。各セ
グメント、または一部のセグメントは、弾性に構成して、フレームの良好な適合を保証す
ることができる。ヌース状セグメントのうちの１つまたは複数の内側に、例えばフック及
びループファスナなど、任意選択のセッティング手段を設けることができる。足のつま先
領域および下部甲領域には、フレーム１７１０が設けられない。したがって、足のこれら
の領域には、以下で述べる外側靴１７５０のみが配置され、これにより、外側靴１７５０
によってもたらされるボールコントロール性を改善することができる。
【０１２２】
図１７Ｂは、外側靴１７５０を示す図であり、この外側靴は、図１７Ｃに示すように、
フレーム１７１０の周りに配置されることによってモジュール式靴１７００を形成するよ
うに構成される。外側靴１７５０は、複数のプロフィル要素１７６５を備える。これらの
プロフィル要素は、その上側の凹部がフレーム１７１０の突起１７２５と緊密に係合する
ことができるように構成される。外側靴１７５０は、足の踵の追加的な保護と、追加的な
頑丈性とをもたらす、ヒールカウンタ１７５３を備える。外側靴１７５０は、第１の材料
で構成される第１のゾーン１７５１と、第２の材料で構成される第２のゾーン１７５２と
を備える。これらのゾーンの材料を様々に選択することにより、所望の頑丈性および摩擦
特性を実現することができる。外側靴の第１のゾーン１７５１は、足のつま先および甲領
域、ならびに足の内側に配置される。足のこれらの領域は、サッカーシューズではボール
に接触するのに最もよく使用されるので、これらの領域では、特に高いボールコントロー
ル性の要件を満たす必要がある。したがって、外側靴１７５０の第１のゾーン１７５１は
、良好なボールコントロールを可能にする材料を含むことができる。
【０１２３】
図１７Ｃは、モジュール式靴１７００を外側面図および内側面図で示している。内側面
図から分かるように、外側靴１７５０は、第３のゾーン１７５４を備えることができる。
ゾーン１７５１、１７５２、および／または１７５４は、外側靴１７５０がフレーム１７
１０およびそれぞれの足の形状に適応するように、弾性に構成することができる。ゾーン
１７５１、１７５２、および／または１７５４内に、あるいはゾーン１７５１、１７５２
、および／または１７５４と重なり合うように、上記で説明したように、例えば印刷など
によって、さらに別のゾーンを設けることもできる。
【０１２４】
図１８Ａから図１８Ｃは、フレーム１８１０および外側靴１８５０を備えるモジュール
式靴１８００の別の例を示す図である。図１８Ａの外側靴１８５０は、複数のプロフィル
要素１８６５を備える。それ以外は、外側靴１８５０は、単一の上側材料で構成される。
外側靴１８５０は、締め紐１８７１を備え、締め紐１８７１は、足首領域の周りの上部甲
の領域から延びて、締め紐を足の踵領域で締めることができるようになっている。ただし
、外側靴１８５０では、その他の締め機構も可能である。外側靴１８５０を弾性材料で構
成するときには、締め機構を省略することもできる。図１８Ｂに示されるフレーム１８１
０は、外側靴１８５０に配置されるように適応される。フレーム１８１０は、複数の突起
１８２５を備えたソール部分１８２０を備える。ソール部分は、硬質プラスチックで構成
することができる。フレーム１８１０は、上部部分１８３０を備える。上部部分１８３０
は、軟質材料で構成して、良好な履き心地を保証することができる。さらに、上部部分１
８３０は、弾性材料を含むことができる。足のつま先領域および上部甲領域には、上部部
分が設けられない。さらに、フレーム１８１０は、上部部分１８３０に、フレームの通気
性を改善することができるいくつかの開口を備える。図１８Ｃは、モジュール式靴１８０
０を示している。上述した靴の下側における外側靴１８５０とフレーム１８１０の間の緊
密な係合に加えて、靴の上側領域でも、外側靴１８５０の締め紐１８７１によってフレー
ム１８１０の周りにおける外側靴１８５０の固定を保証することができる。この目的のた
めに、フレーム１８１０のより軟らかい上部部分１８３０は、外側靴１８５０の上端部を
わずかに横切るように延びて、締め紐１８７１によって生じる力を上部部分１８３０によ
って弱めることができるようにしている。また、この例では、外側靴１８５０は、複数の
機能を備えることができ、ほぼ任意の視覚的構成にすることができる。
【０１２５】
図１９Ａから図１９Ｃは、モジュール式靴１９００およびフレーム１９１０ならびに外
側靴１９５０の別の例を示す図である。図１９Ａは、ソール部分１９２０を備える外側靴
１９５０を示しており、このソール部分は、上述のソール部分と同様に構成することがで
き、突起１９２５を備える。さらに、フレーム１９１０は、発泡材料からなる上部部分１
９３０を備える。足のつま先領域には、フレームが設けられなくてよい。また、足の内側
面および／または外側面では、ボールコントロール性を高めることができるように、上部
部分１９３０に窪みを設けることができる。図１９Ｂは、フレーム１９１０の周りに配置
される外側靴１９５０を示す図である。外側靴１９５０は、その下側に、足の下部踵領域
および土踏まず領域を覆う部分１９５２を備えることができる。部分１９５２は、外側靴
の頑丈性を高めるために硬質プラスチックを含むことができる。それ以外は、外側靴１９
５０は、上述の外側靴と同様に構成することができ、その外側表面に機能を付与すること
ができる。図１９Ｃは、フレーム１９１０および外側靴１９５０を備えるモジュール式靴
１９００を示す図である。フレームを足に固定し、かつ／または外側靴をフレームの周り
に固定するために、靴１９００の足首領域の周りに締め機構をさらに設けることもできる
。
【０１２６】
図２０Ａから図２０Ｃは、モジュール式靴２０００、対応するフレーム２０１０、およ
び外側靴２０５０の別の例を示す図である。図２０Ａに示すように、フレーム２０１０は
、複数の突起２０２５を備えるソール部分２０２０を備える。フレーム２０１０の上部部
分２０３０は、ソール部分２０２０と同様に硬質プラスチックで構成することができる下
側部分２０３６を備える。下側部分２０３６は、その下側に、ソール部分２０２０の対応
する凹部と緊密に係合する複数の突起を備えることができる。他の例では、突起は、ソー
ル部分２０２０にも設けることができる。上部部分２０３０は、下側部分２０３６の上に
配置されたサンダル状部分２０３５を備えることができる。サンダル状部分２０３５は、
足のつま先および甲領域を受けるようになされたシャフト状領域を備える。シャフト状領
域の上方では、２本のヌースが足の甲領域に延び、それぞれが足の甲領域および土踏まず
領域の一部を取り囲む。足の土踏まず領域から足の踵領域を横切って延びる、さらに別の
ヌースも設けられる。このサンダル状部分２０３５および下側部分２０３６により、フレ
ーム２０１０は、足を取り囲み、脚の周りにおけるフレームの固定を保証する。シャフト
状領域と、上側領域２０３５の３本のヌースとは、弾性材料で構成することができる。さ
らに、この３本のヌースは、フック及びループファスナまたはストラップファスナなどの
セッティング手段を備えることができる。他の例では、さらに別のヌースを設ける、他の
ヌースを設ける、かつ／またはヌースを１本しか設けないことも可能である。
【０１２７】
図２０Ｂに示すように、外側靴２０５０は、複数のプロフィル要素２０６５を備える。
プロフィル要素２０６５の上側領域は、フレーム２０１０の突起２０２５が緊密な係合を
形成することができるように構成される。それ以外は、外側靴２０５０は、基本的に１つ
の材料で構成される。外側靴２０５０は、上述のように、視覚的（ｏｐｔｉｃａｌ）に構
成する、かつ／または複数の機能を備えることができる。外側靴２０５０の材料は、外側
靴２０５０がフレーム２０１０に自然に（ｉｎｄｅｐｅｎｄｅｎｔｌｙ）適応するように
、弾性材料とすることができる。任意選択で、外側靴２０５０は、シーム２０７２を備え
ることができる。図２０Ｃは、フレーム２０１０および外側靴２０５０によって構成され
るモジュール式靴２０００を示す外側面図および内側面図である。
【０１２８】
図２１Ａから図２１Ｄは、突起２１２５を備えるフレームの接地板およびプロフィル要
素２１６５を備える外側靴の例を示す図である。この外側靴のプロフィル要素２１６５の
うちの１つまたは複数は、それぞれのプロフィル要素２１６５の孔として構成される凹部
を備える。突起２１２５は、プロフィル要素２１６５の孔と緊密に係合する。突起２１２
５がプロフィル要素２１６５に挿入された位置にあるとき、突起２１２５は、プロフィル
要素から突出していてもよい。これにより、特に、突起２１２５とプロフィル要素２１６
５との間の制御された相対移動を可能にすることができる。したがって、例えば、埃は、
プロフィル要素２１６５から落ちることができる。突起２１２５は、プロフィル要素２１
６５の孔とほぼ面一に構成することもできるし、あるいは孔の中に窪むように配置するこ
ともできる。突起２１２５は、例えば、プロフィル要素２１６５の剛性を向上させること
ができる。他の例では、異なる接地板を用いて、または接地板を用いずに、突起２１２５
をフレームに設けることもできる。
【０１２９】
図２１Ｃから図２１Ｄは、プロフィル要素２１６５と突起２１２５の間のロック機構の
例を示す図である。突起２１２５は、下に向かって先細になるように構成され、プロフィ
ル要素２１６５の凹部と緊密な係合を形成する。突起２１２５とプロフィル要素２１６５
の縁部どうしの間の距離は、単なる例示のためのものである。図２１Ｃでは、プロフィル
要素２１６５の凹部は孔として構成されるが、これは、図２１Ｄには当てはまらない。突
起２１２５および／または凹部は、突起２１２５が垂直方向上向きに移動して凹部から出
ることを防止することができるように、さらに別の構成を加えることもできる。このため
に、スクリューキャップまたはクリッククロージャが設けられてよい。例えば、突起２１
２５は、その下側に膨らみ部２１２６を備えることができ、プロフィル要素２１６５の凹
部は、対応する窪みを備える。突起２１２５の膨らみ部２１２６は、突起２１２５が垂直
方向上向きに動いてプロフィル要素２１６５の凹部から出ることを防止する。フレームに
外側靴を被せるときに膨らみ部を窪みに容易に挿入し、またフレームから外側靴を取り外
すときに膨らみ部を窪みから容易に取り出すことができるようにするために、膨らみ部２
１２６は、突起２１２５の周りに回転対称に延びているのではなく、例えば対向する２辺
でのみ延び、それにより例えば回転させることによって対応する非回転対称な窪みに容易
に挿入し、またはその窪みから容易に取り出すことができるように構成することができる
。例えば、窪みは、膨らみ部２１２６が窪み内で自律的に配置されるように、例えば膨ら
み部２１２６を下向きにプロフィル要素の凹部に押し込んだときにねじによって窪みに挿
入することができるように、また、手作業による回転に関連して窪みから押し出すことが
できるように、構成することができる。別法として、またはこれに加えて、例えば図２１
Ｃまたは図２１Ｄに示す、突起２１２５の下側およびプロフィル要素２１６５の上側の押
しボタン状接続要素、ならびに／またはプロフィル要素２１６５と突起２１２５の間のフ
ック／ループ構成などを援用するなど、このような固定を実現する様々な他の機械的接続
手段も可能である。他の例では、フレームに凹部を設け、プロフィル要素の上側に突起を
設けることもできる。
【０１３０】
図２２Ａから図２２Ｃは、プロフィル要素を備えるモジュール式靴の一例を示す図であ
り、これらのプロフィル要素はフレームのソール部分の下側に設けられている。
【０１３１】
図２２Ａは、その下側に複数の開口２２５５を備える外側靴２２５０の一例を示す図で
ある。開口２２５５は、３次元形状を有する。開口２２５５は、特に、漏斗形で下に向か
って先細になるように構成することができる。外側靴２２５０は、シーム２２７２を備え
ることができ、基本的には、任意選択で、複数の機能を備え、かつ／または視覚的（ｏｐ
ｔｉｃａｌ）に構成することができる、単一の材料で構成することができる。それ以外は
、外側靴２２５０は、上述した図面を参照して上記で説明したように構成することができ
る。
【０１３２】
図２２Ｂは、外側靴２２５０内に配置されるフレームを示す図である。フレーム２２１
０は、フレーム２２１０のソール部分２２２０に配置される複数のプロフィル要素２２６
５を備える。さらに、フレーム２２１０は、レース締め具２２３１を備えることができる
上部部分２２３０を備える。上部部分２２３０は、軟質材料を含むことができ、ソール部
分２２２０およびプロフィル要素２２６５は、硬質材料を含むことができる。プロフィル
要素２２６５は、ソール部分２２２０とモノリシックに製造することができる。別法とし
て、プロフィル要素の取付部のみを、別の製造ステップでプロフィル要素が取り付けられ
るソール部分とモノリシックに製造することもできる。フレーム２２１０は、シーム２２
３２を備えることもできる。それ以外は、フレーム２２１０は、他の図面を参照して上記
で説明したように構成することができる。
【０１３３】
図２２Ｃは、フレーム２２１０および外側靴２２５０を備えるモジュール式靴２２００
を示す図である。漏斗形の下に向かって先細になっている開口２２５５は、外側靴２２５
０がある面積にわたってプロフィル要素２２６５の周りに配置されるように、やはり下に
向かって先細になっているプロフィル要素２２６５の周りに自然に配置されるように構成
される。したがって、封止領域が形成され、この領域が、横方向からプロフィル要素２２
６５に当接する。外側靴２２５０は、フレーム２２１０に外側靴２２５０を被せたときに
開口２２５５が自動的にプロフィル要素２２６５に適応するように、弾性材料を含むこと
ができる。開口２２５５を備える外側靴２２５０をプロフィル要素２２６５を備えるフレ
ーム２２１０の周りに配置するとき、およびその後にこのようにして形成されたモジュー
ル式靴２２００を履くときには、プロフィル要素２２６５が、漏斗形開口２２５５に押し
込まれて、漏斗形開口２２５５が横方向からプロフィル要素２２６５に当接する。開口２
２５５とプロフィル要素２２６５の間の接触領域が、封止領域を形成し、この領域が、開
口２２５５を封止して、水分および／または埃がモジュール式靴２２００の中に進入する
ことを防止する。
【０１３４】
図１８Ｃを参照して既に説明したように、フレームは、足首のところで、足に沿ってわ
ずかながらさらに上方に延びて、フレーム２２１０のみが足に当接するようにすることが
できる。したがって、フレームの上部部分の材料は、快適な履き心地になるように最適な
ものにすることができ、外側靴２２５０の材料は、例えばフットボールシューズの所望の
機能を実現するために最適なものにすることができる。
【０１３５】
図２３Ａから図２３Ｃは、フレーム２３１０および外側靴２３５０を備えるモジュール
式靴２３００の別の例を示す図である。外側靴２３５０は、図２３Ａに示すように、ゾー
ン２３５１およびヒールカウンタ２２５３を備える。他の例に関連して既に説明したよう
に、さらに別のゾーンを設けることもできる。外側靴は、その下側に複数の開口２３５５
を備え、これらの開口２３５５は、封止がもたらされるようにフレーム２３１０のプロフ
ィル要素２３６５ａおよび２３６５ｂがそれらの中に延びるように構成される。さらに、
外側靴自体がプロフィル要素２３６５を備えることもできる。
【０１３６】
図２３Ｂに示すように、フレーム２３１０は、ソール部分２３２０を備える。ソール部
分２３２０は、ソール部分２３２０とモノリシックに製造することができるいくつかのプ
ロフィル要素２３６５ｂを備える。プロフィル要素２３６５ｂは、プロフィル要素２３６
５ａとのねじ接続によって延長することができる。ただし、その他のタイプの接続も可能
である。さらに、延長することができない単純なプロフィル要素のみを、ソール部分に設
けることもできる。このフレームは、上部部分２３３０をさらに備える。上部部分２３３
０は、他の例に関連して既に説明したように構成することができる、レース締め具２３３
１およびクロスストラットを備える上側部分２３３５を備える。上部部分２３３０は、ソ
ール部分２３２０と同じ材料で構成することができる下側部分２３３６を備える。下側部
分２３３６は、上側部分２３３５に接合（例えば糊付け）することもできるし、あるいは
別の方法で永続的に接続することもできる。
【０１３７】
下側部分２３３６は、複数の突起を備えることができ、これらの突起は、ソール部分２
３２０の複数の凹部と脱着可能な緊密な係合を形成するように構成される。したがって、
様々な上部部分とソール部分とを、１つのフレームで組み合わせることができる。別法と
して、またはこれに加えて、対応する突起をソール部分２３２０に設けることもできる。
【０１３８】
図２３Ｃは、フレーム２３１０および外側靴２３５０を備えるモジュール式靴２３００
を示す図である。開口２３５５は、プロフィル要素２３６５ｂの周りで封止を形成する。
プロフィル要素２３６５ｂは、上記で説明したように、プロフィル要素２３６５ａによっ
て延長することができる。フレーム２３１０のこれらのプロフィル要素に加えて、靴２３
００は、外側靴のプロフィル要素２３６５も備える。フレーム２３１０および少なくとも
１つのプロフィル要素２３６５は、任意選択で、例えば図１から図２０を参照して説明し
たように、その少なくとも１つのプロフィル要素２３６５の領域でフレーム２３１０のソ
ール部分２３２０の下側が外側靴２３５０と脱着可能に緊密に係合するように構成するこ
とができる。
【０１３９】
図２４Ａから図２４Ｂは、プロフィル要素２３６５および開口２３５５として構成する
ことができる複数のプロフィル要素２４６５および複数の開口２４５５を備える外側靴の
接地部分２４６０の細部を示す図である。開口２４５５は、さらに、開口の３次元形状を
支持する硬質プラスチックを含むことができる。接地部分２４６０に適応されたフレーム
のソール部分２４２０は、プロフィル要素２４６５の領域で対応する凹部と緊密に係合す
ることができる複数の突起２４２５を備える。さらに、ソール部分２４２０は、図２３を
参照して説明したように封止がもたらされるように開口２４５５の中に延びることができ
るプロフィル要素２４６５ｂを備える。図２４Ｂは、接地部分２４６０と、その下に挿入
されたソール部分２４２０とを示す図である。プロフィル要素２４６５ｂは、プロフィル
要素２４６５ａで延長することができる。延長可能なプロフィル要素２４６５ｂは、踵領
域に配置して、この領域で特定の安定性をもたらすことができる。プロフィル要素２４６
５ａは、例えばプロフィル要素２４６５とのねじまたはプラグ接続によって、フレームの
ソール部分２４２０と外側靴の接地部分２４６０との間の接続を改善することができる。
いくつかの例では、プロフィル要素２４６５ａおよび２４６５ｂは、後部踵領域および／
または前部つま先領域に配置され、他の領域には、プロフィル要素２４６５が設けられる
。
【０１４０】
図２５Ａから図２５Ｆは、フレーム２５１０の別の例の外側面図、内側面図、上面図、
背面図、前面図、および底面図である。フレーム２５１０は、ソール部分２５２０および
上部部分２５３０を備える。両方とも、一般には、上述のソール部分および上部部分に関
連して説明したように適応することができるが、必ずしもそのようにしなくてもよい。
【０１４１】
上部部分２５３０は、つま先領域、甲領域、外側領域、内側領域、および／または踵領
域を備えることができる。ソール部分２５２０と協働して、上部部分２５３０は、履いて
いる人の足を取り囲むことができる。例えば、上部部分２５３０は、履いている人の足の
足首領域まで、またはその下まで延びるように配置することができる。他の例では、上部
部分２５３０は、足首領域の上に延びることもできる。任意選択で、上部部分２５３０は
、上部部分２５３０の上側リムの周りに延びるシーム２５７２を備えることができる。シ
ーム２５７２は、上部部分２５３０のほつれ（ｆｒｉｎｇｉｎｇ）を回避し、かつ／ある
いは履いている人の足首および／または脚の周りにおける上部部分２５３０の締まり嵌め
を保証するのに役立つ可能性がある。
【０１４２】
上部部分２５３０は、伸縮性および／または弾性の材料２５３１を含むことができる。
例えば、上部部分は、例えば伸縮性メッシュ生地など、伸縮性織物を含むことができる。
伸縮性および／または弾性の材料２５３１は、上部部分２５３０の全体に延びることがで
きる。上部部分２５３０は、実質的にモノリシックに形成することができる。例えば、伸
縮性および／または弾性の材料２５３１は、単一片として製造し、例えば上部部分２５３
０の甲領域の中心に沿って延びることができる別のシーム２５７３に沿って縫い付けるこ
とによって、上部部分２５３に形成することができる。
【０１４３】
上部部分２５３０およびフレーム２５１０は、いかなるレース締め具、急速締め具、ま
たは任意のその他の特定の締め手段も備えていなくてもよい。その代わりに、フレーム２
５１０（例えば上部部分２５３０）を弾性になるように適応させることによって、締まり
嵌めを実現することができる。
【０１４４】
さらに、上部部分２５３０は、少なくとも１つの剛化要素２５３２を備えることができ
る。剛化要素２５３２は、一般には、図４Ａから図４Ｂを参照して上述した剛化要素４７
８と同様に設計することができるが、必ずしもそのようにしなくてもよい。剛化要素２５
３２は、例えば、上部部分２５３０の伸縮性を低下させるために設けることもでき、例え
ば、非伸縮性材料を含むことができる。例えば、少なくとも１つの剛化要素２５３２を、
上部部分２５３０の外側領域および／または内側領域に配置することができる。図２５Ａ
から図２５Ｂの例では、６つの剛化要素２５３２が、内側領域および外側領域にそれぞれ
設けられる。剛化要素２５３２は、基本的に垂直方向に、例えばソール部分２５２０から
上部部分２５３０の甲領域に向かって上方に延びるように配置することができる。ただし
、これらの剛化要素は、例えば上部部分２５３０の後方側に向かって傾斜する、または上
部部分２５３０の前方側に向かって傾斜するなど、傾斜して延びるように配置することも
できる。剛化要素２５３２どうしは、互いに交差または結合するように適応することもで
きる。例えば、上部部分２５３０の後方側に向かって傾斜した第１の剛化要素２５３２を
、上部部分２５３０の前方側に向かって傾斜した第２の剛化要素２５３２と交差または結
合するように配置することもできる。例えば、第１の剛化要素２５３２と第２の剛化要素
２５３２とが、その上端部で互いに交差または結合することもできる。例えば、これらの
剛化要素が、上部部分２５３０の内側領域および／または外側領域で三角形を形成するこ
ともできる。これについては、図２５Ａから図２５Ｂを参照されたい。
【０１４５】
上部部分２５３０に関連して説明したが、この少なくとも１つの剛化要素２５３２を、
は、ソール領域の中まで延びることもできる。例えば、この少なくとも１つの剛化要素２
５３２は、例えばつま先領域、中足領域、および／または踵領域で、上部部分２５３０の
底部、および／または上部部分２５３０の底部と側面との間の縁部を少なくとも部分的に
覆うことができる。例えば、ソール部分２５２０は、ベース要素２５２０ａを備えること
ができる。ベース要素２５２０ａは、フレーム２５１０のソール板を形成することができ
る。この少なくとも１つの剛化要素２５３２は、ベース要素２５２０ａの下、またはベー
ス要素２５２０ａの上に延びることができる。この少なくとも１つの剛化要素２５３２は
、例えば上部部分２５３０の下側の縁部の周りで、例えばベース要素２５２０ａの上側ま
たは下側と少なくとも部分的に重なり合うことができる。この少なくとも１つの剛化要素
２５３２と、ベース要素２５２０ａとは、異なる材料を含むことができる。ただし、この
少なくとも１つの剛化要素２５３２は、ソール部分２５２０、または例えばベース要素２
５２０ａなど少なくともその一部分と、一体に、例えばモノリシックに、形成することも
できることに留意されたい。剛化要素２５３２および／またはベース部分２５２０ａは、
上部部分２５３０の伸縮性および／または弾性の材料２５３１に接続することができる。
例えば、ベース要素２５２０ａの材料は、少なくとも１つの剛化要素２５３２に使用され
る、または含まれる材料と同じにすることができる。換言すれば、図２５Ａから図２５Ｆ
において説明を容易にするために異なる参照番号で区別されている上部部分２５３０とソ
ール部分２５２０とに密な相関があってもよく、それらの製造が明白に分離されていなく
てもよい。したがって、他の同様の例では、上部部分とソール部分とを区別することは有
用でないこともあり、むしろ両者をフレーム２５１０の一体部分と見なすのがよい。特に
、上部部分２５３０に関連して説明した態様は、ソール部分２５２０に関連して説明した
態様と入れ換えることもでき、またその逆も可能である。さらに、他の例では、少なくと
も１つの剛化要素２５３２を別個に作製して、それがソール部分２５２０のベース要素２
５２０ａと同じ材料を含まないことがあるようにすることもできることに留意されたい。
例えば、少なくとも１つの剛化要素２５３２は、例えば弾性および／または伸縮性材料２
５３１などの上部部分２５３０に例えば糊付けまたはプレスされるなど接合される、例え
ばＴＰＵを含むバンドまたはテープを備えることができる。少なくとも１つの剛化要素２
５３２は、踵領域まで延びることもでき、したがって、上部部分２５３０の伸縮性および
／または弾性の材料２５３１とソール部分２５２０との間、伸縮性および／または弾性の
材料２５３１とヒールカウンタ２５２３との間、ならびに／あるいは伸縮性および／また
は弾性の材料２５３１とベース部分２５２０ａとの間に取り付けることができる。
【０１４６】
フレーム２５１０は、複数の突起２５２５を備えることもできる。１つまたは複数の突
起２５２５は、例えば、ソール部分２５３０の下側に配置することができる。
【０１４７】
ソール部分２５２０および／またはベース要素２５２０ａは、基本的には、例えば足の
下側に沿って延び、かつ足の周縁で足の下側の縁部を横切って延びるソールと同様の幾何
学的設計にすることができる。ただし、ソール部分２５２０は、踵領域に頑丈性を付加す
るヒールカウンタ２５２３を備えることもできる。ヒールカウンタ２５２３およびベース
要素２５２０ａは、同じ材料を含むことができる。例えば、ヒールカウンタ２５２３およ
びベース要素２５２０ａは、例えばモノリシックに、１つの部片として作製することがで
きる。他の例では、ソール部分２５２０は、踵領域および／または別の領域に頑丈性を付
加する、他の要素および／または別の要素を備えることができる。
【０１４８】
フレーム２５２０は、１つまたは複数の滑り止め要素２５２１（図２５Ｆ参照）を備え
ることもできる。例えば、滑り止め要素２５２１は、例えばフレーム２５１０の下側など
、つま先領域および／または前足領域に設けることができる。例えば、滑り止め要素２５
２１は、ソール部分２５２０の下側に配置することができる。滑り止め要素２５２１は、
外側前足領域から内側前足領域に延びるように配置することができ、かつ／または内側つ
ま先領域に延びることができる。外側つま先領域には、図２５Ｆに示すように、滑り止め
要素２５２１が設けられないままであってもよい。
【０１４９】
例えばランニングなど、それぞれの靴の用途について予想される圧力マップに従って滑
り止め要素２５２１を配置すると、フレーム２５１０を備えるモジュール式靴の頑丈性が
大幅に高められることが分かっている。これで、フレーム２５１０とフレーム２５１０の
周りに配置される外側靴とが相対的に動くことを、最も効果的に回避することができる。
例えば、通常は、足の親指の領域に、また足の母指球に沿って、高い圧力が加わる。した
がって、例えば足の親指の領域（例えば内側つま先領域）または足の母指球の領域（例え
ば内側前足領域から外側前足領域）に滑り止め要素２５２１を配置すると、フレーム２５
１０と外側靴の間に特に高い摩擦力を与えることが可能になり、相対的に動くことを回避
することができる。一方で、足の親指の領域および／または足の母指球の領域に滑り止め
要素２５２１が設けられないままである場合には、フレーム２５１０は、使用中に外側靴
に対して相対的に動きやすい可能性がある。他の例では、滑り止め要素２５２１は、前足
領域の全体にわたって延びることもある。これに加えて、または別法として、例えばフレ
ーム２５１０の下側および／またはソール部分２５２０のその他の領域など、異なる位置
に、滑り止め要素２５２１を配置することもできる。
【０１５０】
滑り止め要素２５２１は、ゴムを含む、または基本的にゴムからなることができる。滑
り止め要素２５２１は、例えばゴム引き布など、布を含むこともできる。他の例では、滑
り止め要素２５２１は、ＰＵ、ＴＰＵ、軟ＴＰＵなどを含むこともできる。滑り止め要素
２５２１は、フレーム２５１０に、例えば糊付けまたはプレス（例えば熱プレス）するな
ど、接合することができる。
【０１５１】
これに加えて、または別法として、フレーム２５１０は、フレーム２５１０の踵領域お
よび／または任意のその他の位置に配置することができる滑り止め要素２５２４を備える
ことができる。例えば、滑り止め要素２５２４は、ソール部分２５２０の踵領域に配置す
ることができる。ただし、これに加えて、または別法として、滑り止め要素２５２４は、
上部部分２５３０の踵領域に配置することもできる。図２５Ｄで最もよく分かるように、
滑り止め要素２５２４は、例えば、ほぼＶ字型を有することができ、かつ／またはソール
部分２５２０の後部踵領域の上縁部に配置することができる。滑り止め要素２５２４は、
フレーム２５１０とフレーム２５１０の周りに配置された外側靴とが、特に垂直方向に相
対的に動くことを有意に抑制することができる。したがって、フレーム２５１０が外側靴
に対して垂直方向に滑ることが抑制される。滑り止め要素２５２４は、滑り止め要素２５
２１に関連して説明したのと同様の材料を含むことができる。
【０１５２】
後部踵領域では、フレーム２５１０は、シームテープ２５３５（図２５Ｄ参照）を備え
ることができる。シームテープ２５３５は、フレーム２５１０の上縁部から踵の下端に向
かって垂直方向に延びて、例えば上部部分２５３０の裂け目を覆うことができる。シーム
テープ２５３５は、基本的に、アキレス腱の形状に従うことができる。シームテープ２５
３５は、踵領域でフレーム２５１０の頑丈性を高めるのにも役立つことができる。さらに
、シームテープ２５３５は、滑り止め材料を含み、したがって滑り止め要素を形成して、
主としてフレーム２５１０がフレーム２５１０の周りに配置された外側靴に対して垂直方
向に相対的に動くことを防止することができる。この目的のために、シームテープ２５３
５は、例えば図２５Ｄに示すドットなど、１つまたは複数の構造要素を備えることもでき
る。例えば、シームテープ２５３５および／あるいはその構造要素のうちの１つまたは複
数は、シリコーンを含むことができる。構造要素は、シームテープ２５３５に取り付ける
こともできるし、あるいは例えば対応する金型を使用することによってシームテープ２５
３５と一体に形成することもできる。いくつかの例では、より一般的には、シームテープ
２５３５に関連して上述したように構成することができるが、必ずしもテープを含む必要
はなく、また必ずしも裂け目を含む必要もない、安定用踵部分を設けることができる。
【０１５３】
フレーム２５１０は、別の滑り止め要素２５２０ｂを備えることもできる。滑り止め要
素２５２０ｂは、フレーム２５１０の大部分にわたって延びることができる。例えば、滑
り止め要素２５２０ｂは、ソール部分２５２０の外部側（下側および側面）の大部分、ま
たはソール部分２５２０の外部側の全体に配置することができる。滑り止め要素２５２０
ｂは、フレーム２５１０の周りに配置された外側靴との摩擦を高めることができる。滑り
止め要素２５２０ｂは、滑り止め要素２５２０ｂが設けられていないソール要素２５２０
のベース要素２５２０ａより高い静止摩擦を有することができる。ただし、滑り止め要素
２５２０ｂの静止摩擦は、滑り止め要素２５２１および／または２５２４より低くてもよ
い。滑り止め要素２５２０ｂは、滑り止め要素２５２１および／または２５２４より小さ
い厚さを有することができる。
【０１５４】
図２５Ａから図２５Ｆの例に示すように、滑り止め要素２５２０ｂは、例えば前足領域
、外側中足領域、および後足領域などで、ソール部分２５２０の下側に配置することがで
きる。内側中足領域には、例えば、滑り止め要素２５２０ｂが設けられないままである。
滑り止め要素２５２０ｂは、ソール部分２５２０のヒールカウンタ２５２３および／また
は足の周縁のソール部分２５２０の下側の縁部に配置することもできる。ソール部分２５
２０の上側リムおよび／あるいは１つまたは複数の剛化要素２５３２には、滑り止め要素
２５２０ｂが設けられないままにすることができる。滑り止め要素２５２０ｂは、一般に
、静止摩擦を高めることによって外側靴が相対的に動くことを防止することによってフレ
ーム２５１０が与える頑丈性を高めるが、フレーム２５１０のこれらの要素に滑り止め要
素２５２０ｂが設けられないままにしておくと、フレーム２５１０に外側靴を被せやすく
することができる。
【０１５５】
例えば、滑り止め要素２５２０ｂは、コーティングまたはフィルムとして設けることが
できる。これに加えて、または別法として、滑り止め要素２５２０ｂは、少なくとも１つ
の構造要素を含むことができる。構造要素は、例えば対応する金型を使用することによっ
て形成することもできる。構造要素は、例えばベース要素２５２０ａなど、ソール部分２
５２０の他の部分と一体に形成することもできる。図２５Ａから図２５Ｆの例では、複数
のドットが設けられる。滑り止め要素２５２０ｂおよび／またはその構造要素は、例えば
、シリコーンを含むことができる。
【０１５６】
一般に、滑り止め要素は、フレームの周りに配置されるように適応された外側靴上に設
けることもできる。例えば、図２５Ａから図２５Ｆを参照して上記で説明した滑り止め要
素と同じ滑り止め要素を、外側靴の内部側の対応する位置に設けることもできる。これら
の滑り止め要素は、フレームに設けられる対応する要素の代わりに設けることもできる。
ただし、フレームの滑り止め要素が外側靴の対応する滑り止め要素と協働することができ
ると、特に有効であることが分かっている。したがって、フレームに設けられる滑り止め
要素に加えて、対応する滑り止め要素を、外側靴の内部側に設けることができる。これは
、特に、フレーム２５１０の踵領域に設けられる滑り止め要素２５２４（または滑り止め
要素として機能することができるシームテープ２５３５）と、外側靴の内部側の踵領域の
対応するカウンタ要素とに当てはまる。
【０１５７】
任意選択で、上部部分２５３０は、例えばヒールカウンタ２５２３の領域など、踵領域
に、裏張り２５３６を備えることができる。したがって、ヒールカウンタによって剛性が
高められることによって足に作用する力を、緩和することができる。
【０１５８】
ベース要素２５２０ａは、例えば成形または射出成形によって、１つまたは複数の突起
２５２５および／あるいはヒールカウンタ２５２３とモノリシックに製造することができ
る。
【０１５９】
一例では、ベース要素２５２０ａ、少なくとも１つの剛化要素２５３２、少なくとも１
つの突起２５２５、および／またはヒールカウンタ２５２３は、例えばＴＰＵなどのＰＵ
、または例えばポリアミド１１などのポリアミドを含むことができる。例えば、例えばガ
ラス繊維で補強されたポリアミド（例えばポリアミド１１）など、少なくとも１種類の繊
維を含むポリアミドを使用することができる。ベース要素２５２０ａおよび／またはヒー
ルカウンタ２５２３（ならびに任意選択で、１つもしくは複数の剛化要素２５３２、およ
び／または１つもしくは複数の突起２５２５）は、必要に応じて、上述のように、例えば
滑り止め要素２５２１、２５２４、および／または２５２０ｂなど、１つまたは複数の滑
り止め要素を備えることができる。ベース要素２５２０ａおよび／またはヒールカウンタ
２５２３（ならびに任意選択で、１つもしくは複数の剛化要素２５３２、および／または
１つもしくは複数の突起２５２５）は、上部部分２５３０、あるいはその伸縮性および／
または弾性材料２５３１に、縫い付ける、例えば糊付けまたは熱プレスするなど接合する
、あるいはその他の方法で永続的に接続することができる。
【０１６０】
突起２５２５は、例えば外側靴のプロフィル要素の領域などに外側靴によって提供され
る対応する凹部と例えば緊密に係合するように配置することができる。したがって、フレ
ーム２５１０とフレーム２５１０の周りに配置された外側靴とが相対的に動くことを、さ
らに防止することができる。さらに、突起２５２５を設けて、外側靴に設けられた対応す
るプロフィル要素を補強することができる。
【０１６１】
図２６Ａから図２６Ｅは、外側靴２６５０を備えるモジュール式靴２６００の別の例を
示す外側面図、内側面図、上面図、底面図、および拡大図である。外側靴２６５０は、フ
レーム２６１０の周りに配置されるように適応される。例えば、フレーム２６１０は、図
２５Ａから図２５Ｆのフレーム２５１０に関連して説明したように設けることができる。
【０１６２】
外側靴２６５０は、１つまたは複数のプロフィル要素２６６５と、上側部分２６７０と
を備える。この１つまたは複数のプロフィル要素２６６５は、上側部分２６７０に直接取
り付けることができる。ただし、上側部分２６７０の下側に配置された接地部分２６６０
を設けることもできる。プロフィル要素２６６５は、接地部分２６６０に取り付けること
もできるし、あるいは接地部分とモノリシックに製造することもできる。各プロフィル要
素２６６５は、フレーム２６１０の突起と例えば緊密な係合などの係合をするように適応
することができる凹部２６６６を備えることができる。接地部分２６６０は、外側靴２６
５０の下側に、かつ／または外側靴２６５０の周縁に沿って外側靴２６５０の下側の縁部
の周りに、連続的に配置することができる。ただし、図２６Ｄに示すように、外側靴２６
５０の下側に、接地部分２６６０が配置されない１つまたは複数の空き部分２６６１を設
けることもできる。空き部分２６６１は、例えば、中央踵領域、中央中足領域（例えば足
の土踏まずの下）に設けることができ、これらの部分は、外側靴２６５０の下側の縁部ま
で延びていないこともある。さらに、空き部分２６６１は、中央前足部分に配置すること
もできる。例えば、このような中央前足部分の空き領域２６６１は、中足領域の外側靴２
６５０の下側の外側縁部まで延びることができる。空き部分２６６１を設けることにより
、靴を軽量化することができるだけでなく、必要に応じて、外側靴をその縁部に沿って選
択的に剛化できるようにすることもできる。
【０１６３】
外側靴の上側部分２６７０は、通常のアッパーと同様に足の複数の領域に配置すること
ができる。上側部分２６７０は、上側部分２６７０の上縁部に沿って、履いている人の足
首または脚の周りに延びることができるシーム２６７２を備えることができる。さらに、
上側部分２６７０は、上側部分２６７０の上縁部の後端部に配置することができるフラッ
プ２６７４を備えることができる。フラップ２６７４は、モジュール式靴２６００を形成
するためにフレーム２６１０を覆う外側靴２６５０を引っ張るのを容易にすることができ
る。
【０１６４】
上側部分２６７０は、１つまたは複数の層を有する材料を含むことができる。例えば、
２層材料を使用することができる。例えば、伸縮性および／または弾性の材料が、例えば
フィルムなどのベース層を形成することができる。例えば、例えばＰＵなどの合成材料、
または合成マイクロファイバ材料を、ベース層に使用することができる。ベース層は、ベ
ース層の伸縮性を低下させることができる例えばフィルムなどの第２の層を備えることが
できる。例えば、ＴＰＵを第２の層に使用することができる。例えば、第２の層は、ベー
ス層に、熱プレスまたは印刷、あるいは真空蒸着することができる。
【０１６５】
例えば、第２の層は、ベース層を完全に覆うことができる。ただし、ベース層は、領域
２６５１（図２６Ａから図２６Ｅ参照）には第２の層が設けられないままであってもよい
。例えば、第２の層は、一般に、ベース層を補強して、それにより高強度の上側部分２６
７０を形成するために設けることができる。ただし、選択した領域２６５１では、上側部
分２６７０の伸縮性を選択的に高めるために、第２の層を配置しなくてもよい。このよう
に、フレーム２６１０を覆う外側靴２６５０を引っ張りやすくすることができる。例えば
、１つまたは複数の領域２６５１は、細長く設計する、かつ／あるいは例えば外側靴２６
５０のつま先部分、中央甲部分、外側甲部分、および／または内側甲部分で、外側靴２６
５０の長手方向に配列することができる。上述の領域の１つまたは複数の領域２６５１は
、靴を履くそれぞれの人の足の土踏まずの様々なサイズに外側靴２６７０をさらに適応さ
せることができるようにするので、有用であることもある。これらの領域２６５１は、他
の形状および寸法を有することもでき、例えば、三角形、楕円形、円形、星形などにする
ことができる。上側部分２６７０の外側および／または内側の中足側面、外側および／ま
たは内側の後足側面、ならびに後部側面は、いかなる領域２６５１も備えていなくてもよ
い。これにより、靴２６００の踵部分の周りにおける横方向に動くための靴２６００の頑
丈性を最大限に高めることができる。これらの機能的特徴以外は、外側靴２６５０の層状
構造を使用して、特定の視覚的（ｏｐｔｉｃａｌ）設計を有する外側靴２６５０を提供す
ることもできる。
【０１６６】
例えば、領域２６５１は、第２の層をベース層上に印刷、熱プレス、またはその他の方
法で適用するときに、直接作成することができる。ただし、領域２６５１は、ベース層に
適用する前または後に、例えばレーザ切断などによって、連続的な第２の層内に作成する
こともできる。
【０１６７】
上側部分２６７０に使用される材料は、追加の層および／または要素を備えることもで
きることに留意されたい。したがって、「ベース層」および「第２の層」という用語は、
単に例示のために使用しているものであり、それぞれの文字通りの意味で解釈すべきでは
ない。例えば、追加の層を、ベース層と第２の層の間に設けることができる。さらに、追
加の層を、ベース層の、第２の層と対向する側に設けることもできる。追加層は、例えば
、印刷（例えば３Ｄ印刷）、熱プレス、真空蒸着、またはその他の方法で適用することが
できる。このような追加の層は、第２の層より上（例えば第２の層の上）に設けることも
できるし、あるいは第２の層より下に（例えばベース層の上に直接）設けることもできる
。
【０１６８】
例えば、例えば視覚的（ｏｐｔｉｃａｌ）設計に供することができる印刷層を、追加の
層として使用することができる。この印刷層は、例えば３Ｄ印刷で作成される３Ｄ構造を
備えることができる。３Ｄ構造は、一般に薄層または伸縮性材料では実現することが困難
であるサッカーシューズのボールコントロール性の改善を可能にすることができる。この
ように、例えば印刷層などの追加の層は、設計上の目的のために使用することができるだ
けでなく、一般に外側靴の機能性を改善することもできる。印刷層は、ベース層上に適用
することができ、第２の層は、ベース層および印刷層の上に適用することができることに
留意されたい。一例では、合成伸縮性材料が、３Ｄ印刷層が適用されたベース層として使
用される。ＴＰＵ層は、第２の層として使用され、ベース層および３Ｄ印刷層の上に適用
される。
【０１６９】
１つまたは複数の層を構成する上記の材料は、基本的に、外側靴２６５０の上側部分２
６７０の全体に配置することができる。他の例では、様々な材料を使用する、または様々
な材料を、例えばベース層および／または第２の層として使用される上記で説明した材料
と組み合わせることができる。これらの様々な材料は、例えば、革、編物材料（例えば、
欧州特許出願公開第２６４９８９８号明細書、欧州特許出願公開第２７９２２６５号明細
書、または欧州特許出願公開第２７９２２６４号明細書に記載されるように、平編みにす
ることができ、かつ／またはコーティングを備えることができる、縦編みおよび／または
横編みなど）、ならびに／あるいは例えばコーティング付きメッシュ材料などのメッシュ
材料を含み得る。特に、編物材料またはメッシュ材料をベース層に使用するときには、第
２の層は、真空蒸着で適用することができる。
【０１７０】
外側靴２６５０の内部側には、例えば図２５Ａから図２５Ｆを参照して詳細に説明した
ように、滑り止め要素など、さらに別の要素を設けることもできる。さらに、剛化板など
、１つまたは複数の剛化要素２６６７を、外側靴２６５０の内部側に設けることもできる
。図２６Ｅに示すように、剛化要素２６６７は、例えば、踵領域に配置することができる
。こうして、外側靴２６５０によって与えられる頑丈性を、さらに改善することができる
。剛化要素２６６７は、底部踵側、後部踵側、外側踵側、および／または内側踵側に配置
することができる。
【０１７１】
他の例では、滑り止め要素を、外側靴２６５０の内部側に配置することができ、例えば
、剛化要素２６６７に関連して説明したように配置することができる。この滑り止め要素
のうちの１つまたは複数は、例えば図２５Ａから図２５Ｆを参照して説明した滑り止め要
素２５２１、２５２４、および／または２５２０ｂと同様に設けることができる。特に、
外側靴２６５０の内部側の１つまたは複数の滑り止め要素は、例えばフレーム２６１０が
備えることができる滑り止め要素２５２４、２５２０ｂおよび／またはシームテープ２５
３５など、フレーム２６１０の１つまたは複数の滑り止め要素と相互作用することができ
る。
【０１７２】
外側靴２６５０の内部側の滑り止め要素は、１つまたは複数の剛化要素２６６７に加え
て設けることもできることに留意されたい。例えば、１つまたは複数の滑り止め要素は、
例えば１つまたは複数の剛化要素２６６７の上など、１つまたは複数の剛化要素２６６７
より上方に配置することができる。
【０１７３】
図２７は、フレーム２７１０の別の例を示す底面図である。フレーム２７１０は、一般
に、上記のフレームに関連して説明したのと同様の設計にすることができる。フレーム２
７１０は、例えばフレーム２７１０のソール部分の下側など、フレーム２７１０の下側に
配置することができる、１つまたは複数の滑り止め要素２７２１を備える。滑り止め要素
２７２１は、上記の他の滑り止め要素に関連して説明したのと同様に、フレーム２７１０
がその周りに配置された外側靴に対して相対的に動くことを防止するために設けることが
できる。特に、１つまたは複数の滑り止め要素２７２１を設けて、フレーム２７１０の下
側の少なくとも大部分を覆うことができる。例えば、２つの滑り止め要素２７２１を設け
ることができる。第１の滑り止め要素２７２１は、フレーム２７１０の前部部分に設ける
ことができる。第１の滑り止め要素２７２１は、例えば、足の親指および／または母指球
の領域に配置することができる。さらに、第１の滑り止め要素２７２１は、外側つま先領
域に配置することもできる。中央つま先領域には、第１の滑り止め要素２７２１を設けな
いままにすることができる。第２の滑り止め要素２７２１は、フレーム２７１０の踵領域
に配置することができる。例えば、第２の滑り止め要素２７２１は、外側踵領域、内側踵
領域、および／または後部踵領域に配置することができる。この１つまたは複数の滑り止
め要素２７２１の配置は、それらの効果を最大限にすることができるように、使用中のフ
レーム２７１０内の予想力分布に従うことができる。フレームの中足領域は、滑り止め要
素２７２１を設けないままにすることができる。この領域では、通常は、予想される力が
小さい。フレーム２７１０は、いくつかの例では、その下側にいかなる突起も備えないこ
ともある。
【０１７４】
以下、本発明の理解を促すために、さらなる実施形態について説明する。
【０１７５】
１．フレーム（１１０、９１０、１２１０、１７１０、１８１０、１９１０、２０１０
）の周りに脱着可能に配置されてモジュール式靴（１００、９００、１２００、１７００
、１８００、１９００、２０００）、特に運動靴を形成する、ソックス状外側靴であって
、
複数のプロフィル要素（１６５、９６５、１２６５、１７６５、１８６５、１９６５、
２０６５）を備え、
プロフィル要素（１６５、９６５、１２６５、１７６５、１８６５、１９６５、２０６
５）のうちの少なくとも１つが、ソックス状外側靴（１５０、９５０、１２５０、１７５
０、１８５０、１９５０、２０５０）の外側から延び、
プロフィル要素（１６５、９６５、１２６５、１７６５、１８６５、１９６５、２０６
５）のうちの少なくとも１つの領域が、モジュール式靴のフレームの下側と脱着可能に緊
密に係合するように構成される、ソックス状外側靴。
【０１７６】
２．複数のプロフィル要素（１６５、９６５、１２６５、１７６５、１８６５、１９６
５、２０６５）が、複数のスタッドを備える、実施形態１に記載の外側靴。
【０１７７】
３．複数のプロフィル要素（１６５、９６５、１２６５、１７６５、１８６５、１９６
５、２０６５）のうちの少なくとも１つが、フレームの下側の突起と緊密に係合する凹部
を備える、実施形態１または２に記載の外側靴。
【０１７８】
４．可撓性材料、特に布、織物、編物、ポリウレタン、革、ポリアミド１２、ポリエー
テルブロックアミド（ＰＥＢＡ）、および／または熱可塑性ポリウレタン（ＴＰＵ）を含
む、実施形態１から３のいずれか１つに記載の外側靴。
【０１７９】
５．弾性材料を含む、実施形態１から４のいずれか１つに記載の外側靴。
【０１８０】
６．複数のプロフィル要素（１６５、９６５、１２６５、１７６５、１８６５、１９６
５、２０６５）が、射出成形によって外側靴上に射出される、実施形態１から５のいずれ
か１つに記載の外側靴。
【０１８１】
７．ボールと接触する摩擦を高めるように適応された少なくとも１つのゾーンを備える
、実施形態１から６のいずれか１つに記載の外側靴。
【０１８２】
８．つま先領域を備える、実施形態１から７のいずれか１つに記載の外側靴。
【０１８３】
９．接地部分（９６０）および上側部分（９７０）を備える、実施形態１から８のいず
れか１つに記載の外側靴。
【０１８４】
１０．接地部分（９６０）が、上側部分（９７０）には設けられない材料を含む、実施
形態９に記載の外側靴。
【０１８５】
１１．上側部分（９７０）が、接地部分（９６０）の材料より弾性的な材料を含む、実
施形態９または１０に記載の外側靴。
【０１８６】
１２．接地部分（９６０）および上側部分（９７０）が、永続的に互いに接続される、
実施形態９から１１のいずれか１つに記載の外側靴。
【０１８７】
１３．フレームであり、そのフレームの周りにソックス状外側靴（１５０、９５０、１
２５０、１７５０、１８５０、１９５０、２０５０）が脱着可能に配置されてモジュール
式靴（１００、９００、１２００、１７００、１８００、１９００、２０００）、特に運
動靴を形成する、フレームであって、
ａ．上部部分（１３０、３３０、１２３０、１７３０、１８３０、１９３０、２０３０
）と、
ｂ．ソール部分（１２０、３２０、１２２０、１７２０、１８２０、１９２０、２０２
０）とを備え、
ｃ．フレームが、足を取り囲むように構成され、
ｄ．ソール部分が、ソックス状外側靴の少なくとも１つのプロフィル要素（１６５、９
６５、１２６５、１７６５、１８６５、１９６５、２０６５）の領域でソックス状外側靴
と脱着可能に緊密に係合するように構成された下側を備える、フレーム。
【０１８８】
１４．ソール部分（１２０、３２０、１２２０、１７２０、１８２０、１９２０、２０
２０）が、少なくとも１つのプロフィル要素（１６５、９６５、１２６５、１７６５、１
８６５、１９６５、２０６５）の領域で少なくとも１つのプロフィル要素（１６５、９６
５、１２６５、１７６５、１８６５、１９６５、２０６５）と緊密に係合するように構成
された少なくとも１つの突起（１２５、３２５、１２２５、１７２５、１８２５、１９２
５、２０２５）を備える、実施形態１３に記載のフレーム。
【０１８９】
１５．ソール部分（１２０、３２０、１２２０、１７２０、１８２０、１９２０、２０
２０）が、少なくとも部分的に滑り防止布を備える、実施形態１３または１４のいずれか
１つに記載のフレーム。
【０１９０】
１６．足の甲領域および／またはつま先領域がそのフレームによって覆われないように
適応される、実施形態１３から１５のいずれか１つに記載のフレーム。
【０１９１】
１７．ソール部分（２０２０）の上側と上部部分（２０３０）の下側とが、少なくとも
１つの領域で脱着可能に緊密に互いに係合するように構成される、実施形態１３から１６
のいずれか１つに記載のフレーム。
【０１９２】
１８．実施形態１から１２のいずれか１つに記載のソックス状外側靴（１５０、９５０
、１２５０、１７５０、１８５０、１９５０、２０５０）と、実施形態１３から１７のい
ずれか１つに記載のフレーム（１１０、９１０、１２１０、１７１０、１８１０、１９１
０、２０１０）とを備える、モジュール式靴、特に運動靴であって、
ａ．外側靴が、フレームの周りに脱着可能に配置され、
ｂ．フレームの下側が、少なくとも１つのプロフィル要素（１６５、９６５、１２６５
、１７６５、１８６５、１９６５、２０６５）の領域でソックス状外側靴と緊密に係合す
る、モジュール式靴。
【０１９３】
１９．フレーム（２２１０、２３１０）の周りに脱着可能に取り付けられてモジュール
式靴（２２００、２３００）、特に運動靴を形成する、ソックス状外側靴であって、
ａ．複数の開口（２２５５、２３５５）を備え、
ｂ．複数の開口（２２５５、２３５５）が、フレームの複数のプロフィル要素（２２６
５、２３６５ｂ）がそれらの開口を通って延びることができるように適応されて、開口と
プロフィル要素との間が封止されるようになっている、ソックス状外側靴。
【０１９４】
２０．開口（２２５５、２３５５）のうちの少なくとも１つが３次元形状を有し、外側
靴が少なくとも１つの開口の領域でフレーム（２２１０、２３１０）の少なくとも１つの
プロフィル要素（２２６５、２３６５ｂ）の周りに配置されたときに、プロフィル要素に
横方向から当接する封止領域が形成される、実施形態１９に記載の外側靴。
【０１９５】
２１．少なくとも１つの開口（２２５５、２３５５）が、下に向かって先細になるよう
に構成される、実施形態２０に記載の外側靴。
【０１９６】
２２．フレームであり、このフレームの周りにソックス状外側靴（２２５０、２３５０
）が脱着可能に配置されてモジュール式靴（２２００、２３００）、特に運動靴を形成す
る、フレームであって、
ａ．上部部分（２２３０、２３３０）と、ソール部分（２２２０、２３２０）とを備え
、
ｂ．ソール部分が、複数のプロフィル要素（２２６５、２３６５ｂ）を備える下側を備
え、
ｃ．複数のプロフィル要素が、外側靴の複数の開口（２２５５、２３５５）を通って延
びることができるように適応されて、開口とプロフィル要素との間が封止されるようにな
っている、フレーム。
【０１９７】
２３．実施形態１９から２１のいずれか１つに記載のソックス状外側靴（２２５０、２
３５０）と、実施形態２２に記載のフレーム（２２１０、２３１０）とを備える、モジュ
ール式靴、特に運動靴であって、
ａ．ソックス状外側靴が、フレームの周りに脱着可能に配置され、
ｂ．複数のプロフィル要素（２２６５、２３６５ｂ）が、複数の開口（２２５５、２３
５５）を通って延びて、開口とプロフィル要素との間が封止されるようになっている、モ
ジュール式靴。
【符号の説明】
【０１９８】
１００、９００、１２００、１７００、１８００、１９００、２０００、２２００、２
３００  モジュール式靴
１１０、９１０、１２１０、１７１０、１８１０、１９１０、２０１０、２２１０、２
３１０  フレーム
１２０、３２０、１２２０、１７２０、１８２０、１９２０、２０２０、２２２０、２
３２０  ソール部分
１２５、３２５、１２２５、１７２５、１８２５、１９２５、２０２５  突起
１３０、３３０、１２３０、１７３０、１８３０、１９３０、２０３０、２２３０、２
３３０  上部部分
１５０、９５０、１２５０、１７５０、１８５０、１９５０、２０５０、２２５０、２
３５０  ソックス状外側靴
１６５、９６５、１２６５、１７６５、１８６５、１９６５、２０６５、２２６５、２
３６５ｂ  プロフィル要素
９６０  接地部分
９７０  上側部分
２２５５、２３５５  開口
【図１】
2020000882.tif 000003
【図２】
2020000882.tif 000004
【図３】
2020000882.tif 000005
【図４】
2020000882.tif 000006
【図５】
2020000882.tif 000007
【図６】
2020000882.tif 000008
【図７】
2020000882.tif 000009
【図８】
2020000882.tif 000010
【図９】
2020000882.tif 000011
【図１０】
2020000882.tif 000012
【図１１】
2020000882.tif 000013
【図１２】
2020000882.tif 000014
【図１３】
2020000882.tif 000015
【図１４】
2020000882.tif 000016
【図１５】
2020000882.tif 000017
【図１６】
2020000882.tif 000018
【図１７】
2020000882.tif 000019
【図１８】
2020000882.tif 000020
【図１９】
2020000882.tif 000021
【図２０】
2020000882.tif 000022
【図２１】
2020000882.tif 000023
【図２２】
2020000882.tif 000024
【図２３】
2020000882.tif 000025
【図２４】
2020000882.tif 000026
【図２５】
2020000882.tif 000027
【図２６】
2020000882.tif 000028
【図２７】
2020000882.tif 000029
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
フレームの周りに脱着可能に配置されてモジュール式靴を形成する、ソックス状外側靴であって、
複数のプロフィル要素を備え、前記プロフィル要素のうちの少なくとも１つが、前記ソックス状外側靴の外側から延び、
前記プロフィル要素のうちの少なくとも１つの領域が、前記モジュール式靴の前記フレームの下側と脱着可能に係合するように構成され、
前記外側靴は、前記外側靴の内部側に配置された滑り止め要素をさらに備え、前記滑り止め要素が、前記フレームのヒールカウンタに設けられる少なくとも１つの滑り止め要素と相互作用するように適応され、
少なくとも１つのプロフィル要素が、前記フレームの前記下側の各突起又は凹部と係合するための凹部又は突起を備える、
ソックス状外側靴。
【請求項２】
前記複数のプロフィル要素が、複数のスタッドを備える、請求項１に記載の外側靴。
【請求項３】
可撓性材料、布、織物、編物、ポリウレタン、革、ポリアミド１２、ポリエーテルブロックアミド（ＰＥＢＡ）、および／または熱可塑性ポリウレタン（ＴＰＵ）を含む、請求項１又は２に記載の外側靴。
【請求項４】
弾性材料を含む、請求項１から３のいずれか一項に記載の外側靴。
【請求項５】
前記複数のプロフィル要素が、射出成形によって前記外側靴上に射出される、請求項１から４のいずれか一項に記載の外側靴。
【請求項６】
ボールと接触する摩擦を高めるように適応された少なくとも１つのゾーンを備える、請求項１から５のいずれか一項に記載の外側靴。
【請求項７】
つま先領域を備える、請求項１から６のいずれか一項に記載の外側靴。
【請求項８】
接地部分および上側部分を備える、請求項１から７のいずれか一項に記載の外側靴。
【請求項９】
前記接地部分が、前記上側部分には設けられない材料を含む、請求項８に記載の外側靴。
【請求項１０】
前記上側部分が、前記接地部分の材料より弾性的な材料を含む、請求項８または９に記載の外側靴。
【請求項１１】
前記接地部分および前記上側部分が、永続的に互いに接続される、請求項８から１０のいずれか一項に記載の外側靴。
【請求項１２】
前記プロフィル要素のうちの少なくとも１つの前記領域が、前記モジュール式靴の前記フレームの前記下側と、脱着可能に緊密に係合するように構成される、請求項１から１１のいずれか一項に記載の外側靴。
【請求項１３】
フレームであり、前記フレームの周りにソックス状外側靴が脱着可能に配置されてモジュール式靴を形成する、フレームであって、
ａ．上部部分と、
ｂ．ヒールカウンタを備えるソール部分とを備え、
ｃ．前記フレームが、足を取り囲むように構成され、
ｄ．前記ソール部分が、前記ソックス状外側靴の少なくとも１つのプロフィル要素の領域で前記ソックス状外側靴と脱着可能に係合するように構成された下側を備え、
ｅ．前記フレームは、前記ヒールカウンタに配置される少なくとも１つの滑り止め要素を有し、前記滑り止め要素は、前記外側靴の内部側に配置された滑り止め要素と相互作用するように適応され、
ｆ．前記下側は、前記少なくとも１つのプロフィル要素の各突起又は凹部と係合するための少なくとも１つの凹部又は突起を備える、
フレーム。
【請求項１４】
前記ソール部分が、前記少なくとも１つのプロフィル要素の前記領域で前記少なくとも１つのプロフィル要素と係合するように構成された少なくとも１つの突起を備える、請求項１３に記載のフレーム。
【請求項１５】
前記少なくとも１つの滑り止め要素が、前記フレームの前足領域に設けられる、請求項１３又は１４に記載のフレーム。
【請求項１６】
前記少なくとも１つの滑り止め要素が、ゴム材料を含む、請求項１３から１５のいずれか一項に記載のフレーム。
【請求項１７】
前記少なくとも１つの滑り止め要素が、布、及び／又はゴム引き布を含む、請求項１３から１６のいずれか一項に記載のフレーム。
【請求項１８】
前記足の甲領域および／またはつま先領域が前記フレームによって覆われないように適応された、請求項１３から１７のいずれか一項に記載のフレーム。
【請求項１９】
前記ソール部分の上側と前記上部部分の下側とが、少なくとも１つの領域で脱着可能に互いに係合するように構成される、請求項１３から１８のいずれか一項に記載のフレーム。
【請求項２０】
前記ソール部分の前記下側が、前記ソックス状外側靴の前記少なくとも１つのプロフィル要素の前記領域で前記ソックス状外側靴と脱着可能に緊密に係合するように構成される、請求項１３から１９のいずれか一項に記載のフレーム。
【請求項２１】
請求項１から１２のいずれか一項に記載のソックス状外側靴と、請求項１３から２０のいずれか一項に記載のフレームとを備える、モジュール式靴であって、
ａ．前記ソックス状外側靴が、前記フレームの周りに脱着可能に配置され、
ｂ．前記フレームの下側が、少なくとも１つのプロフィル要素の領域で前記ソックス状外側靴と係合する、モジュール式靴。
【請求項２２】
前記フレームの前記下側が、前記少なくとも１つのプロフィル要素の前記領域で前記ソックス状外側靴と緊密に係合する、請求項２１に記載のモジュール式靴。
【請求項２３】
フレームの周りに脱着可能に配置されてモジュール式靴を形成する、ソックス状外側靴であって、
ａ．複数の開口を備え、
ｂ．前記複数の開口が、前記フレームの複数のプロフィル要素が前記開口を通って延びることができるように適応されて、前記開口と前記プロフィル要素との間が封止されるようになっている、ソックス状外側靴。
【請求項２４】
前記開口のうちの少なくとも１つが３次元形状を有し、前記外側靴が前記少なくとも１つの開口の領域で前記フレームの前記少なくとも１つのプロフィル要素の周りに配置されたときに、前記プロフィル要素に横方向から当接する封止領域が形成される、請求項２３に記載の外側靴。
【請求項２５】
前記少なくとも１つの開口が、下に向かって先細になるように構成される、請求項２４に記載の外側靴。
【請求項２６】
フレームであり、前記フレームの周りにソックス状外側靴が脱着可能に配置されてモジュール式靴を形成する、フレームであって、
ａ．上部部分と、ソール部分とを備え、
ｂ．前記ソール部分が、複数のプロフィル要素を備える下側を備え、
ｃ．前記複数のプロフィル要素が、前記外側靴の複数の開口を通って延びることができるように適応されて、前記開口と前記プロフィル要素との間が封止されるようになっている、フレーム。
【請求項２７】
請求項２３から２５のいずれか一項に記載のソックス状外側靴と、請求項２６に記載のフレームとを備える、モジュール式靴であって、
ａ．前記ソックス状外側靴が、前記フレームの周りに脱着可能に配置され、
ｂ．前記複数のプロフィル要素が、前記複数の開口を通って延びて、前記開口と前記プロフィル要素との間が封止されるようになっている、モジュール式靴。
【外国語明細書】
2020000882000001.pdf